(57)【特許請求の範囲】
【請求項１】
無線通信システムにおける端末切替の方法であって、
端末がパケットデータネットワークゲートウェイによって、パケットデータネットワークにアクセスし、端末は異なるゲートウェイ間の切替が発生する時、端末が切り替えた目標ゲートウェイは前記端末に新しいロケータ識別子(RID)を割り当て、前記端末のID識別子(AID)と前記新しいRIDのマッピング関係を保存し、前記目標ゲートウェイ或いは前記端末の目標移動性管理エンティティは前記端末のホームIDロケータレジスタ(ILR)に登録更新要求を起動し、且つ前記端末の新しいRIDを載せ、前記端末のホームILRは前記登録更新要求を受けた後、前記端末の新しいRIDに基づき、保存した前記端末のAID-RIDマッピング情報を更新し、且つ受けた及び/又はローカルで保存した前記端末の反対端情報に基づき、前記端末の反対端ゲートウェイ及び/又は反対端移動性管理エンティティに前記端末のRIDを更新する通知を起動することを含み、
更に、前記端末の元ゲートウェイが切り替わる前に、直接或いは元移動性管理エンティティを介し、前記端末の反対端情報を前記端末のホームILRに伝送し、前記端末のホームILRはローカルで前記端末の反対端情報を保存し、前記端末のホームILRは前記登録更新要求を受けた後、ローカルで保存した前記端末の反対端情報に基づき、前記端末のRIDを更新する通知を起動することを特徴とする方法。
【請求項２】
前記登録更新要求を起動するステップは前記目標ゲートウェイが前記端末に新しいRIDを割り当てた後、直接前記端末のホームILRに前記登録更新要求を起動し、或いは前記目標ゲートウェイは前記新しいRIDを前記目標移動性管理エンティティに送信し、前記目標移動性管理エンティティにより前記端末のホームILRに前記登録更新要求を起動することを含む請求項１に記載する方法。
【請求項３】
更に、前記端末のホームILRが前記端末の反対端移動性管理エンティティだけに前記端末のRIDを更新する通知を起動する時、前記反対端移動性管理エンティティは該通知を受けた後、反対端ゲートウェイに転送し、
前記反対端ゲートウェイは前記端末のホームILR或いは反対端移動性管理エンティティが送信した前記端末のRIDを更新する通知を受けると、該端末のAID-RID情報を更新することを含む請求項１に記載する方法。
【請求項４】
前記端末は、切替が発生した後、更に、前記元ゲートウェイは前記端末のホームILRに変化した反対端情報を伝達し、且つRID更新を起動しようとする反対端情報としてマークし、
前記端末のホームILRがRID更新を起動しようとしてマークする反対端情報を受けた後、前記端末は、相応な反対端ゲートウェイに前記端末のRIDを更新する通知を起動することを含む請求項１に記載する方法。
【請求項５】
前記元ゲートウェイは、前記端末の反対端のAID及び反対端のAID-RIDマッピング情報を含む反対端情報をメンテナンスし、
前記元ゲートウェイは、前記端末のホームILRに転送する反対端情報において、少なくとも反対端のAIDを含み、或いは更に反対端のAID-RIDマッピング情報を含み、
更に、前記端末のホームILRが受けた反対端情報は反対端のAIDだけ含むと、前記端末のRIDを更新する前記通知を起動する前に、反対端ホームILRから反対端のRIDを見つけることを含む請求項１に記載する方法。
【請求項６】
前記端末のホームILRが受けた或いは保存した反対端情報には更に反対端のAID-RIDマッピング情報を含むと、更に、前記端末の反対端ゲートウェイ或いは移動性管理エンティティは前記端末のRIDを更新する前記通知を受けた後、該反対端のホームILRに変化した反対端情報を伝達し、該変化した反対端情報は該端末のAIDと更新した後のRIDを含むことを含む請求項５に記載する方法。
【請求項７】
前記元ゲートウェイは、
前記目標ゲートウェイの転送チャネル構築要求を受けた後、前回伝送した後、変化が発生した反対端情報があると判断すれば、前記端末のホームILRに変化した反対端情報を伝達し、或いは、
転送チャネルを解放する時、前回伝送した後、変化が発生する反対端情報があると判断すれば、前記端末のホームILRに変化した反対端情報を一回伝送し、或いは、
前記転送チャネル構築要求を受けた後、一つの伝送タイマーを設置し、該伝送タイマーが満期となると、前回伝送した後変化が発生した反対端情報があると判断すれば、前記端末のホームILRに変化した反対端情報を一回伝送する方式により、
前記端末のホームILRに変化した反対端情報を伝達する請求項４に記載する方法。
【請求項８】
前記目標ゲートウェイは前記端末の切替過程に、前記元ゲートウェイが転送チャネルから伝送してくるデータメッセージと他のゲートウェイが汎用転送プレーンから転送してくるデータメッセージの検出によって、前記端末の反対端情報を構築、メンテナンス、且つ定期的に或いはリアルタイムに前記端末のホームILRに汎用転送プレーンから転送してくるデータメッセージを検出して確定した反対端情報を伝送する請求項４又は５に記載する方法。
【請求項９】
前記目標ゲートウェイは前記端末の切替過程に、更に目標サービングゲートウェイが転送してくるデータメッセージの検出によって、前記端末の反対端情報を構築し、メンテナンスする請求項８に記載する方法。
【請求項１０】
前記目標ゲートウェイは前記端末の切替過程に、前記元ゲートウェイが転送チャネルから転送してくるデータメッセージ及び目標サービングゲートウェイから転送してくるデータメッセージを検出して確定した反対端情報を前記端末のホームILRに伝達し、且つRID更新を起動しようとする反対端情報としてマークする請求項９に記載する方法。
【請求項１１】
前記端末の元ゲートウェイ及び/又は目標ゲートウェイが前記端末は切替が発生した後、直接或いは移動性管理エンティティを介し、前記端末の反対端情報を前記端末のホームILRに伝送し、
前記端末のホームILRは受けた前記端末の反対端情報及び前記登録更新要求によって、前記端末のRIDを更新する前記通知を起動する請求項２に記載する方法。
【請求項１２】
前記目標ゲートウェイは、RID登録要求を起動し、或いは前記目標移動性管理エンティティに前記新しいRIDを送信する時、メンテナンスした前記端末の反対端情報を載せ、
前記目標移動性管理エンティティは、前記新しいRID及び前記反対端情報を受けた後、前記RID登録要求を起動する時、前記反対端情報を載せ、
端末ホームILRは、RID登録要求を受けた後、その中に載せた前記反対端情報に基づき、前記端末のRIDを更新する通知を起動する請求項１１に記載する方法。
【請求項１３】
前記元ゲートウェイ及び/又は目標ゲートウェイは、転送チャネルを構築する時、伝送タイマーを設置し、且つ前記伝送タイマーが満期となる時、メンテナンスした前記端末の反対端情報を前記端末のホームILRに伝送し、或いは、
前記元ゲートウェイ及び/又は目標ゲートウェイは、構築した転送チャネルを解放する時、メンテナンスした前記端末の反対端情報を前記端末のホームILRに伝送する請求項１１に記載する方法。
【請求項１４】
前記元ゲートウェイ及び/又は目標ゲートウェイは、前記端末の反対端情報を前記端末のホームILRに伝送する時、前記端末のホームILRにRIDを更新する通知を起動するように通知し、或いは、伝送した前記反対端情報をRID更新通知を起動しようとする反対端情報としてマークし、
前記端末のホームILRは、反対端情報を受けた後、前記RID更新通知を起動する通知或いは前記RID更新通知を起動する識別子によって、前記端末のRIDを更新する通知を起動する請求項１３に記載する方法。
【請求項１５】
前記目標ゲートウェイ或いは元ゲートウェイは、転送チャネルを構築する時、解放タイマーを設置し、且つ前記解放タイマーの定時周期に基づき、トリガーして元ネットワークセッション削除及び転送チャネル解放のフローを実行する請求項７、１３、又は１４に記載する方法。
【請求項１６】
無線通信システムにおける端末切替システムであって、
パケットデータネットワークゲートウェイ、移動性管理エンティティを含み、更に前記パケットデータネットワークゲートウェイ及び/又は前記移動性管理エンティティと信号インタフェースを有するILRを含み、
前記移動性管理エンティティは、前記パケットデータネットワークゲートウェイが送信した端末の新しいRIDを受けた後、前記端末のホームILRに登録更新を起動し、前記端末の新しいRIDを載せるように設置され、
前記パケットデータネットワークゲートウェイは、ハンドオーバーイン端末に新しいロケータ識別子(RID)を割り当て、前記端末のID識別子(AID)と前記新しいRIDのマッピング関係を保存し、且つ前記端末のホームIDロケータレジスタ(ILR)に登録更新を起動し、前記端末の新しいRIDを載せ、或いは前記端末の新しいRIDを前記移動性管理エンティティに送信し、及び通信反対端の反対端のRIDを更新する通知を受けた後、前記反対端のRID情報を更新し、且つ更新応答を回答するように設置され、
前記ILRは、前記登録更新を受けた後、前記端末の新しいRIDに基づき、保存した前記端末のAID-RIDマッピング情報を更新し、且つ受けた及び/又はローカルで保存した前記端末の反対端情報に基づき、前記端末の反対端ゲートウェイ及び/又は反対端移動性管理エンティティに前記端末のRIDを更新する通知を起動し、及び通信反対端の反対端のRIDを更新する通知を受けた後、前記反対端のRID情報を更新するように設置され、
前記パケットデータネットワークゲートウェイは、
端末の反対端情報をメンテナンスし、前記反対端情報に前記端末の反対端のAIDを含み、更に前記端末の反対端のAID-RIDマッピング情報を含むように設置される反対端情報メンテナンスモジュールと、
直接或いは元移動性管理エンティティによって、前記端末のホームILRに前記端末の反対端情報を伝送し、その中に、伝送した前記端末の反対端情報は少なくとも前記端末の反対端のAIDを含むように設置される反対端情報伝送モジュールと、を含む端末切替システム。
【請求項１７】
前記反対端情報メンテナンスモジュールは更に、
端末が通信反対端へ送るアップリンクデータメッセージ及び通信反対端が前記端末へ送るダウンリンクデータメッセージを受ける時、前記アップリンク或いはダウンリンクデータメッセージにおける通信反対端のAIDを検査し、且つ前記通信反対端のAIDに基づき、ローカルで該通信反対端の情報を保存したか否かを検索し、保存していなければ、反対端情報を保存し、該反対端情報は少なくとも該通信反対端のAID情報を含み、及び、
前記端末の通信反対端がオフイランする通知をリアルタイムストリームによって検出する或いは受ける時、メンテナンスした反対端情報から該通信反対端の情報を削除するように設置される請求項１６に記載する端末切替システム。
【請求項１８】
前記反対端情報伝送モジュールは、リアルタイム或いは定期的にメンテナンスした前記端末の反対端情報を直接或いは元移動性管理エンティティを介し、前記端末のホームILRに伝送するように設置され、
前記ILRは、端末のAID-RIDマッピング情報及び受けた端末の反対端情報を保存するように設置される情報記憶モジュールと、前記登録更新を受けた後、保存した前記端末のAID-RIDマッピング情報を更新し、且つ保存した前記端末の反対端情報に基づき、前記端末の反対端ゲートウェイ及び/又は反対端移動性管理エンティティに前記端末のRIDを更新する通知を起動するように設置される情報更新及び通知モジュールを含む請求項１６に記載する端末切替システム。
【請求項１９】
前記反対端情報伝送モジュールは、端末に切替が発生する時、ハンドオーバーアウト端末及びハンドオーバーイン端末の反対端情報を直接或いは移動性管理エンティティを介して前記端末のホームILRに伝送するように設置され、
前記ILRは、端末のAID-RIDマッピング情報を保存するように設置される情報記憶モジュールと、前記登録更新を受けた後、保存した前記端末のAID-RIDマッピング情報を更新し、且つ受けた前記端末の反対端情報に基づき、前記端末の反対端ゲートウェイ及び/又は反対端移動性管理エンティティに前記端末のRIDを更新する通知を起動するように設置される情報更新及び通知モジュールを含む請求項１６に記載する端末切替システム。
【請求項２０】
前記情報更新及び通知モジュールは更に、前記端末の反対端情報における通信反対端のAIDに基づき、ローカル或いは通信反対端のホームILRで前記通信反対端のRIDを検索し、前記通信反対端のゲートウェイ或いは移動性管理エンティティに前記端末のRIDを更新する通知を送信し、前記端末のAID及び新しいRIDを載せるように設置される請求項１８又は１９に記載する端末切替システム。
【請求項２１】
前記端末切替システムは、更に、前記パケットデータネットワークゲートウェイと繋がるS-GWを含み、
前記パケットデータネットワークゲートウェイは、更に、
ハンドオーバーイン端末に本ゲートウェイを指向する新しいRIDを割り当て、端末AIDと前記新しいRIDとのマッピング情報を保存するように設置されるハンドオーバーイン制御モジュールと、
ハンドオーバーイン、ハンドオーバーアウト端末のデータメッセージに対して、RIDカプセル化、RIDカプセル化解除と転送処理を行うように設置されるメッセージ転送モジュールと、
ハンドオーバーイン端末のために、目標S-GWとの間の転送チャネルを構築するように設置される第一チャネル構築モジュールと、を含み、
前記S-GWはハンドオーバーイン端末のために、目標ゲートウェイと目標無線側ネットワーク要素との間のチャネルを構築し、データメッセージの転送を行い、及び移動性管理エンティティとゲートウェイとの間でやり取りする情報を伝達するように設置される請求項１６に記載する端末切替システム。
【請求項２２】
前記パケットデータネットワークゲートウェイは、更にRID登録モジュールを含み、
前記パケットデータネットワークゲートウェイのハンドオーバーイン制御モジュールは、更にハンドオーバーイン端末に新しいRIDを割り当てた後、該RID登録モジュールをアクティブ化するように設置され、該RID登録モジュールはハンドオーバーイン端末のホームILRに登録更新を起動し、該ハンドオーバーイン端末の新しいRIDを載せるように設置され、或いは、
前記パケットデータネットワークゲートウェイのハンドオーバーイン制御モジュールは、更にハンドオーバーイン端末に新しいRIDを割り当てた後、該新しいRIDを目標S-GWを経て目標移動性管理エンティティに伝達するように設置され、前記目標移動性管理エンティティは更にRID登録モジュールを含み、前記目標移動性管理エンティティのRID登録モジュールは更にハンドオーバーイン端末の新しいRIDを受けた後、ハンドオーバーイン端末のホームILRに登録更新を起動し、該ハンドオーバーイン端末の新しいRIDを載せるように設置される請求項２１に記載する端末切替システム。
【請求項２３】
前記パケットデータネットワークゲートウェイは、更に第二チャネル構築モジュールを含み、
前記パケットデータネットワークゲートウェイにおけるハンドオーバーイン制御モジュールは、更にハンドオーバーイン端末に新しいRIDを割り当てた後、前記第二チャネル構築モジュールをアクティブ化するように設置され、
前記第二チャネル構築モジュールは、ゲートウェイ間の信号インタフェースを介し、前記ハンドオーバーイン端末のハンドオーバーアウトゲートウェイに転送チャネル構築要求を送信し、本ゲートウェイがハンドオーバーイン端末のためにハンドオーバーアウトゲートウェイ間の転送チャネルを構築することで割り当てたチャネル情報を載せ、及び目標ゲートウェイが送信したハンドオーバーアウト端末のために転送チャネルを構築する構築要求を受けた後、目標ゲートウェイに転送チャネル構築応答を回答するように設置される請求項２２に記載する端末切替システム。
【発明の詳細な説明】
【技術分野】
【０００１】
本発明は無線通信技術分野に関し、例えば、無線通信システムにおける端末切替の方法及びシステムに関する。
【背景技術】
【０００２】
第3世代移動体通信システムの標準化プロジェクト（3rd Generation Partnership Project、3GPPと略称する）が進化したパケットシステム（Evolved Packet System、EPSと略称する）は進化したユニバーサル移動通信システム地上無線アクセスネットワーク（Evolved Universal Terrestrial Radio Access Network、E-UTRANと略称する）、移動性管理エンティティ（Mobility Management Entity、MMEと略称する）、サービングゲートウェイ（Serving Gateway、S-GW）、パケットデータネットワークゲートウェイ（Packet Data Network Gateway、P-GW或いはPDN GWと略称する)、ホーム加入者サーバー（Home Subscriber Server、HSSと略称する）、3GPPの認証認可課金（Authentication、Authorization and Accounting、AAAと略称する）サーバー、ポリシー及び課金ルール機能（Policy and Charging Rules Function、PCRFと略称する）エンティティ及び他のサポートノードからなる。
【０００３】
図1aは従来の技術によるEPSシステムアーキテクチャーの模式図であり、図1aに示すように、MMEは移動性管理、非アクセス層シグナリングの処理とユーザーの移動管理コンテクストの管理等の制御プレーンの関連業務を担当し、S-GWはE-UTRANと繋がるアクセスゲートウェイン設備であり、E-UTRANとP-GWとの間にデータを転送し、且つ呼出待ちデータをキャッシュすることを担当し、P-GWはEPSとパケットデータネットワーク（Packet Data Network、PDNと略称する）のボーダゲートウェイであり、PDNのアクセス及びEPSとPDNの間にデータを転送すること等の機能を果たす。
【０００４】
3GPPにおいて、アクセスポイントネーム（Access Point Name、APNと略称する）によって、対応したPDNネットワークを見つけることができる。通常、UEからPDNネットワークへの一つの接続を一つのIP接続アクセスネットワーク（IP Connectivity Access Network、IP-CAN略称する）セッションと称する。
【０００５】
端末が移動している時、P-GWは端末が移動するアンカーポイント（図1bに示すように）とする。図1bシステムの上に、従来の技術では端末が切替を行う過程（図1cに示すように）、S-GW間のインタフェースを介してデータ転送を行う流れの具体的なステップは以下の通りである：
ステップ1c01において、無線側ネットワーク要素はS1切替を起動する必要があると判断し、
ステップ1c02において、元無線側ネットワーク要素はハンドオーバーアウトMMEに切替要求を送信し、
ステップ1c03において、元MMEは目標MMEにリロケーションフォワード要求メッセージを送信し、
ステップ1c04において、目標MMEは目標S-GWにセッション構築要求を起動し、P-GW関連情報を載せ、
ステップ1c05において、目標S-GWは目標MMEにセッション構築応答メッセージを回答し、
該ステップにおいて目標S-GWが目標無線側ネットワーク要素間のチャネルを構築するために割り当てたチャネル情報、例えばチャネル識別子を載せる。
【０００６】
ステップ1c06において、目標MMEは目標無線側ネットワーク要素が切替を実行するように要求し、
該ステップは目標S-GWが割り当てたチャネル情報を目標無線側ネットワーク要素に伝達する。
【０００７】
ステップ1c07において、目標無線側ネットワーク要素は目標MMEに切替要求確認メッセージを回答し、
該ステップにおいて、目標無線側ネットワーク要素はUEコンテクストを新規作成し、且つ事前にリソースをリザーブし、切替要求確認メッセージにおいて目標無線側ネットワーク要素が割り当てたチャネル情報（ここでは、目標S-GW間のチャネルを構築するために割り当てたものである）を載せ、更にS-GW間の転送チャネル情報を載せる必要がある。
【０００８】
ステップ1c08において、目標MMEは目標S-GWに転送チャネル構築要求を起動し、S-GW間のデータ転送チャネルを構築し、
ステップ1c09において、目標S-GWは目標MMEに転送チャネル構築応答を回答し、転送チャネル識別子を載せ、
ステップ1c10において、目標MMEは元MMEにリロケーションフォワード応答メッセージを送信し、
ステップ1c11において、元MMEは元S-GWに転送チャネル構築要求を起動し、S-GWとその間のデータ転送チャネルを構築し、転送チャネル識別子を載せ、
ステップ1c12において、元S-GWは元MMEに転送チャネル構築応答を回答し、
ステップ1c13において、元MMEはハンドオーバーアウト無線側ネットワーク要素に切替命令を送信し、
ステップ1c14において、元無線側ネットワーク要素は端末に切替命令を送信し、
この時、元ネットワークが受けた該端末に送るダウンリンクデータはS-GW間の転送チャネルから目標ネットワークに送られ、
ステップ1c15において、端末は目標無線側ネットワーク要素に切替確認メッセージを起動し、
ステップ1c16において、目標無線側ネットワーク要素は目標MMEが切り替えるように通知し、
ステップ1c17において、目標MMEはハンドオーバーアウトMMEにリロケーションフォワード完成通知メッセージを送信し、
ステップ1c18において、元MMEは目標MMEにリロケーションフォワード完成確認メッセージを返信し、
ステップ1c19において、目標MMEは目標S-GWがベアラ情報を修正し、目標無線側ネットワーク要素が割り当てたチャネル情報を載せるように要求し、目標S-GWは該チャネル情報を受けた後、S-GWがリロケーションすれば、目標S-GWはP-GWに修正ベアラ要求メッセージを送信し、目標S-GWが割り当てたチャネル情報を載せ、
該ステップにおいて、目標S-GWは目標無線側ネットワーク要素が割り当てたチャネル情報を受けた後、該端末に目標無線側ネットワーク要素間のチャネルを構築し、該端末のダウンリンクデータメッセージを送信することに用いられ、ダウンリンクチャネルと称する。ステップ1c06において、目標無線側ネットワーク要素は目標S-GWが割り当てたチャネル情報を受けた後、該端末に目標S-GW間へのチャネルを構築し、該端末のアップリンクデータメッセージを送信でき、アップリンクチャネルと称する。メッセージに各箇所の二つのネットワーク要素間にチャネルを構築する方式は類似するため、ここでは、贅言しない。
【０００９】
ステップ1c20において、S-GWはリロケーションすれば、目標P-GWは目標S-GWにベアラ修正結果を回答する。目標S-GWは目標MMEにベアラ修正結果を回答し、
ステップ1c21において、元ネットワークセッション削除を実行し、及びチャネル解放流れを転送する。該流れは元MMEがタイマーを介してトリガーされてもよい。
【００１０】
これにより、従来の技術ではアンカー方式を採用することで、端末移動過程における業務の連続性を実現することだけ考慮したが、該固定アンカーポイント方法はデータパッケージ経路迂回の問題を引き起こし、伝送遅延や帯域幅の無駄を増加させる。
【００１１】
上記で存在する問題は本質上で、伝送制御プロトコル/インターネットプロトコル（Transmission Control Protocol/Internet Protocol、TCP/IP）のアドレスとIDの共有性によって引き起こされるものである。これらの問題を解決するために、現在業界において複数種類の新しい移動管理技術が提議されている。その本質的な構想はユーザーのロケータ／ID分離技術である。従来の技術において既に関連ID識別子とロケータ分離（Subscriber Identifier & Locator Separation Network、SILSNと略称する）の解決案、例えば、ホストコンピュータに基づいた実現であるホスト識別プロトコル（Host Identity Protocol、HIP）技術、及びルータに基づいた実現であるロケータID分離プロトコル（Locator/ID Separation Protocol、LISP）技術があり、毎種類の実現において更に関連する複数の種類の技術によってサポートされ、これらの案において、端末ユーザーのID識別子（Access Identifier、本文にはAIDと表示する）は移動過程に変わらず、端末のロケータに基づき、別途にロケータ識別子（Routing Identifier、本文にはRIDと表示する）を割り当て、それにより、データメッセージのルーティングと転送を実現する。
【００１２】
図1dにSILSNのアーキテクチャーを示し、該SILSNアーキテクチャーのネットワークトポロジーはトポロジー関係において重複しないアクセスネットワークと基幹ネットワークに区分され、アクセスネットワークは基幹ネットワークのエッジに位置し、すべての端末のアクセスを担当し、基幹ネットワークはアクセスした端末間のデータメッセージのルーティングと転送を担当する。ネットワークにおいて、AIDで端末のユーザーID識別子を表示し、端末が移動する過程にずっと変わらないように維持し、RIDでネットワークが端末に割り当てたロケータ識別子を表示し、基幹ネットワークにおいて使用される。なお、ID識別子とロケータ識別子は異なるSILSNアーキテクチャーで異なる名称を有することができ、同等に見なすべきである。
【００１３】
SILSNアーキテクチャーにおいて、端末は移動端末、固定端末とノマディック端末中の一種又は多種であってもよい、例えば携帯電話、固定電話、パソコンとサーバー等。
【００１４】
SILSNアーキテクチャーにおいて、アクセスネットワークは端末に二層（物理層とリンク層）のアクセス手段を提供し、端末とASN間の物理アクセスリンクをメンテナンスすることに用いられる。
【００１５】
SILSNアーキテクチャーにおいて、基幹ネットワークの主なネットワーク要素はASNと汎用ルータとIDロケータレジスタを含み、 
ASNは端末にRIDを割り当て、端末のAID-RIDマッピング情報を維持し、ILRに（登記登録とも称する）端末のRIDを登録／検索し、及びデータメッセージのルーティングと転送を実現することに用いられ、端末はASNを介して基幹ネットワークにアクセスする必要がある。ASNが割り当てたRIDは本ASNに指向し、すなわち該ASNのアドレス情報も含み、該RIDをデータメッセージの目的アドレスとする時、該データメッセージが該ASNにルーティングされ、
汎用ルータ（Common Router、CRと略称する）はデータメッセージ中のRIDによって経路指定し、RIDを目的アドレスとするデータメッセージを転送することに用いられ、IDロケータレジスタ（Identity Location Register、ILRと略称する）、ILRは端末RIDの登録、キャンセルと検索を処理し、ホームユーザー端末のID識別子とロケータ識別子(AID-RID)のマッピング情報を保存、メンテナンスすることに用いられる。
【００１６】
選択的に、基幹ネットワークは更にパケット転送機能、インターコネクトサービスノードを含み、
パケット転送機能（Packet Transfer Function、PTFと略称する）はパケット転送機能ノードとも称し、ホームユーザー端末が送信したデータメッセージを受けた後、データメッセージにおける通信反対端AIDに基づき、通信反対端のRIDを見つけ、且つメッセージのヘッド部にカプセル化した後、汎用転送プレーンに転送することに用いられ、
インターコネクトサービスノード（Interconnect Service Node、ISNと略称する）は汎用ルータ、ASNとILRとのインタフェースを有し、二つのネットワークの相互接続相互通信を実現することに用いられる。
【００１７】
上記ILR、或いはILRとPTFは基幹ネットワークのマッピング転送プレーンを構成し、CR、或いはCRとISNは基幹ネットワークの汎用転送プレーンを構成する。
【００１８】
SILSNアーキテクチャーに基づいたネットワークは端末のID識別子とロケータが分離するので、端末と通信反対端がAIDによって互いを識別し、AIDはホーム加入者サーバーに契約する時、端末に割り当てられ、例えば、IPV6/IPV4アドレス或いはIMSI或いは臨時識別子或いはNAIであってもよい。RIDを使用し、データメッセージのルーティングと転送を実現する。端末が移動する時、AIDが変えず、端末と通信反対端の通信関係を維持し、RIDは端末に従い移動し、改めて割り当てられ、それにより、端末が固定アンカーポイントのない移動性を行うようサポートでき、データパッケージ経路迂回の問題を解決する。
【００１９】
SILSNアーキテクチャーにおいて通信する時、ASNはアップリンクデータメッセージ（即ち、端末が通信反対端に送信するデータメッセージ）を受けたと、RIDカプセル化と転送を行う必要があると要求される。具体的には、ASNはローカルで通信反対端のRIDを検索し、見つけると、通信反対端のRIDを目的アドレスとし、端末RIDをリソースアドレスとし、端末AIDと通信反対端AIDを含むデータメッセージにカプセル化し、汎用転送プレーンを介して通信反対端がアクセスしたASNに転送する。見つけないと、通信反対端ホームILRで通信反対端のRIDを検索し、且つローカルに保存する。この時、メッセージに端末のRIDをカプセルした後、マッピング転送プレーンを介して汎用転送プレーンに転送し、或いは通信反対端のRIDを見つけた後、更に該ASNにより上記ローカルで通信反対端のRIDを見つける時の方式でRIDカプセル化と転送処理を行う。ダウンリンク方向に、ASNは汎用転送プレーンから送ってくるデータメッセージを受けた後、RIDカプセル化解除を行い、その中のRIDを削除した後、端末に送信する。
【００２０】
ASNはメッセージの正常転送を実現するために、端末がアクセスする時に該端末にRIDを割り当て、ILRに該RIDを登録し、それによって、ILR中の該端末のRIDを更新することが分かった。ASNは更に端末及びその通信反対端のAID-RIDマッピング情報をメンテナンスする必要があり、それによって、メッセージのRIDカプセル化を実現する。一つの例示において、ASNは各々端末に該端末と通信反対端の通信関係情報をメンテナンスし、本文に該端末の反対端情報と称し、該端末AIDと通信反対端AIDの対応的な関係情報を含み、例えば該反対端情報は通信反対端テーブルの形式を採用でき、テーブルに該端末のすべての通信反対端のAIDを記録し、該反対端情報は更に通信反対端のAID-RIDマッピング情報を含んでもよく、即ちASNが統一的にすべての端末の通信反対端のAID-RIDマッピング情報をメンテナンスし、例えば、ASNにマッピングルーティングテーブルが保存され、該マッピングルーティングテーブルにASNにアクセスしたすべての端末の通信反対端のAID-RIDマッピング情報が保存される。勿論、ASNは各々端末にそれぞれ該端末のすべての通信反対端のAID-RIDマッピング情報をメンテナンス可能である。その中に、ASNが反対端情報をメンテナンスすることは端末で切替が発生する時、該端末にどのような通信反対端があるかを確定できることが目的であり、そこで、該反対端情報に基づき、通信反対端がアクセスしたASNに該端末の新しいRIDを送信できるようになる。通信反対端がアクセスするASNは更新を完成した後、通信反対端が出したデータメッセージを直接に該端末が切りハンドオーバーインASNにルーティングできる。しかし、切替過程に通信反対端がアクセスしたASNが更新を完成する前に、リソースASNは目標ASNに通信反対端が該端末に送信したメッセージを転送する必要がある。
【００２１】
しかし、既存技術がどのようにLTE等の制御プレーンとメディアプレーンが分離する通信システムの切替過程に端末のID識別子とロケータが分離することをサポートし、ルーティング迂回が出現することを回避するか、すべてが相応な実現案はまだ提議されていない。
【００２２】
また、切替過程に、リソースASNはメンテナンスした反対端情報を目標ASNに伝送する必要があり、目標ASNはリソースASNから該端末の反対端情報を取得した後、それぞれ該端末のすべての通信反対端がアクセスしたASNに端末のRIDを更新するように通知する。それは切替過程で多量な情報（例えば通信反対端テーブル）伝達を引き起こしてしまう。
【発明の概要】
【発明が解決しようとする課題】
【００２３】
本発明は、無線通信システムにおける端末切替の方法及びシステムを提供することで、データパッケージの経路迂回を減少し、伝送遅延と帯域幅の無駄を低減するものである。
【課題を解決するための手段】
【００２４】
上記課題を解決するために、本発明は無線通信システムにおける端末切替の方法を提供し、端末がパケットデータネットワークゲートウェイによって、パケットデータネットワークにアクセスし、端末は異なるゲートウェイ間の切替が発生する時、前記方法は、
端末が切り替えた目標ゲートウェイは前記端末に新しいロケータ識別子(RID)を割り当て、前記端末のID識別子(AID)と前記新しいRIDのマッピング関係を保存し、前記目標ゲートウェイ或いは前記端末の目標移動性管理エンティティは前記端末のホームIDロケータレジスタ(ILR)に登録更新要求を起動し、且つ前記端末の新しいRIDを載せ、
前記端末のホームILRは前記登録更新を受けた後、前記端末の新しいRIDに基づき、保存した前記端末のAID-RIDマッピング情報を更新し、且つ受けた及び/又はローカルで保存した前記端末の反対端情報に基づき、前記端末の反対端ゲートウェイ及び/又は反対端移動性管理エンティティに前記端末のRIDを更新する通知を起動することを含む。
【００２５】
前記登録更新要求を起動するステップは前記目標ゲートウェイが前記端末に新しいRIDを割り当てた後、直接前記端末のホームILRに前記登録更新要求を起動し、或いは、
前記目標ゲートウェイは前記新しいRIDを前記目標移動性管理エンティティに送信し、前記目標移動性管理エンティティにより前記端末のホームILRに前記登録更新要求を起動することを含む。
【００２６】
前記端末のホームILRが前記端末の反対端移動性管理エンティティだけに前記端末のRIDを更新する通知を起動する時、前記反対端移動性管理エンティティは該通知を受けた後、反対端ゲートウェイに転送し、
前記反対端ゲートウェイは前記端末のホームILR或いは反対端移動性管理エンティティが送信した前記端末のRIDを更新する通知を受けると、該端末のAID-RID情報を更新する。
【００２７】
前記端末のハンドオーバーアウトゲートウェイが切り替わる前に、直接或いはハンドオーバーアウト移動性管理エンティティを介し、前記端末の反対端情報を前記端末のホームILRに伝送し、前記端末のホームILRはローカルで前記端末の反対端情報を保存し、
前記端末のホームILRは前記登録更新要求を受けた後、ローカルで保存した前記端末の反対端情報に基づき、前記端末のRIDを更新する通知を起動する。
【００２８】
前記端末は切替が発生した後、前記元ゲートウェイは前記端末のホームILRに変化した反対端情報を伝達し、且つRID更新を起動しようとする反対端情報としてマークする、
前記端末のホームILRがRID更新を起動しようとしてマークする反対端情報を受けた後、相応な反対端ゲートウェイに前記端末のRIDを更新する通知を起動する。
【００２９】
前記元ゲートウェイが前記端末の反対端のAID及び反対端のAID-RIDマッピング情報を含む反対端情報をメンテナンスし、
前記元ゲートウェイが前記端末のホームILRに転送する反対端情報において、少なくとも反対端のAIDを含み、或いは更に反対端のAID-RIDマッピング情報を含み、前記端末のホームILRが受けた反対端情報は反対端のAIDだけ含むと、前記端末のRIDを更新する前記通知を起動する前に、反対端ホームILRから反対端のRIDを見つける必要がある。
【００３０】
前記端末のホームILRが受けた或いは保存した反対端情報には更に反対端のAID-RIDマッピング情報を含むと、前記端末の反対端ゲートウェイ或いは移動性管理エンティティは前記端末のRIDを更新する前記通知を受けた後、該反対端のホームILRに変化した反対端情報を伝達し、該変化した反対端情報は該端末のAIDと更新した後のRIDを含む。
【００３１】
前記元ゲートウェイは以下通りの方式で前記端末のホームILRに変化した反対端情報を伝達し、
前記元ゲートウェイは前記目標ゲートウェイの転送チャネル構築要求を受けた後、前回伝送した後、変化が発生した反対端情報があると判断すれば、前記端末のホームILRに変化した反対端情報を伝達し、或いは、
前記元ゲートウェイは転送チャネルを解放する時、前回伝送した後、変化が発生する反対端情報があると判断すれば、前記端末のホームILRに変化した反対端情報を一回伝送し、或いは、前記元ゲートウェイは前記転送チャネル構築要求を受けた後、一つの伝送タイマーを設置し、該伝送タイマーが満期となると、前回伝送した後変化が発生した反対端情報があると判断すれば、前記端末のホームILRに変化した反対端情報を一回伝送する。
【００３２】
前記目標ゲートウェイは前記端末の切替過程に、前記元ゲートウェイが転送チャネルから伝送してくるデータメッセージと他のゲートウェイが汎用転送プレーンから転送してくるデータメッセージの検出によって、前記端末の反対端情報を構築し、メンテナンスし、且つ定期的に或いはリアルタイムに前記端末のホームILRに汎用転送プレーンから転送してくるデータメッセージを検出して確定した反対端情報を伝送する。
【００３３】
前記目標ゲートウェイは前記端末の切替過程に、更に目標サービングゲートウェイが転送してくるデータメッセージの検出によって、前記端末の反対端情報を構築し、メンテナンスする。
【００３４】
前記目標ゲートウェイは前記端末の切替過程に、前記元ゲートウェイが転送チャネルから転送してくるデータメッセージ及び目標サービングゲートウェイから転送してくるデータメッセージを検出して確定した反対端情報を前記端末のホームILRに伝達し、且つRID更新を起動しようとする反対端情報と識別する。
【００３５】
前記端末の元ゲートウェイ及び/又は目標ゲートウェイが前記端末は切替が発生した後、直接或いは移動性管理エンティティを介し、前記端末の反対端情報を前記端末のホームILRに伝送し、 
前記端末のホームILRは受けた前記端末の反対端情報及び前記登録更新要求によって、前記端末のRIDを更新する前記通知を起動する。
【００３６】
前記目標ゲートウェイは前記RID登録要求を起動し、或いは前記目標移動性管理エンティティに前記新しいRIDを送信する時、メンテナンスした前記端末の反対端情報を載せ、
前記目標移動性管理エンティティは前記新しいRID及び前記反対端情報を受けた後、前記RID登録要求を起動する時、前記反対端情報を載せ、
端末ホームILRはRID登録要求を受けた後、その中に載せた前記反対端情報に基づき、前記端末のRIDを更新する前記通知を起動する。
【００３７】
前記ハンドオーバーアウトゲートウェイ及び/又は目標ゲートウェイは転送チャネルを構築する時、伝送タイマーを設置し、且つ前記伝送タイマーが満期となる時、メンテナンスした前記端末の反対端情報を前記端末のホームILRに伝送し、或いは、
前記元ゲートウェイ及び/又は目標ゲートウェイは構築した転送チャネルを解放する時、メンテナンスした前記端末の反対端情報を前記端末のホームILRに伝送する。
【００３８】
前記元ゲートウェイ及び/又は目標ゲートウェイは前記端末の反対端情報を前記端末のホームILRに伝送する時、前記端末のホームILRにRIDを更新する通知を起動するように通知し、或いは伝送した前記反対端情報をRID更新通知を起動しようとする反対端情報としてマークし、
前記端末のホームILRは反対端情報を受けた後、前記RID更新通知を起動する通知、或いは前記RID更新通知を起動する識別によって、前記端末のRIDを更新する通知を起動する。
【００３９】
前記目標ゲートウェイ或いはハンドオーバーアウトゲートウェイが転送チャネルを構築する時、解放タイマーを設置し、且つ前記解放タイマーの定時周期に基づき、トリガーしてハンドオーバーアウトネットワークセッション削除及び転送チャネル解放のフローを実行する。
【００４０】
本発明は更に無線通信システムにおける端末切替システムを提供し、パケットデータネットワークゲートウェイ、移動性管理エンティティを含み、更に前記ゲートウェイ及び/又は前記移動性管理エンティティと信号インタフェースを有するILRを含み、その中に、
前記移動性管理エンティティは前記ゲートウェイが送信した端末の新しいRIDを受けた後、前記端末のホームILRに登録更新を起動し、前記端末の新しいRIDを載せるように設置され、
前記ゲートウェイは、ハンドオーバーイン端末に新しいロケータ識別子(RID)を割り当て、前記端末のID識別子(AID)と前記新しいRIDのマッピング関係を保存し、前記端末のホームIDロケータレジスタ(ILR)に登録更新を起動し、前記端末の新しいRIDを載せ、或いは前記端末の新しいRIDを前記移動性管理エンティティに送信し、及び通信反対端の反対端のRIDを更新する通知を受けた後、前記反対端のRID情報を更新し、且つ更新応答を回答するように設置され、
前記ILRは前記登録更新を受けた後、前記端末の新しいRIDに基づき、保存した前記端末のAID-RIDマッピング情報を更新し、且つ受けた及び/又はローカルで保存した前記端末の反対端情報に基づき、前記端末の反対端ゲートウェイ及び/又は反対端移動性管理エンティティに前記端末のRIDを更新する通知を起動し、及び通信反対端の反対端のRIDを更新する通知を受けた後、前記反対端のRID情報を更新するように設置される。
【００４１】
前記ゲートウェイは、
端末の反対端情報をメンテナンスし、前記反対端情報に前記端末の反対端のAIDを含み、更に前記端末の反対端のAID-RIDマッピング情報を含むように設置される反対端情報メンテナンスモジュールと、
直接或いは元移動性管理エンティティによって、前記端末のホームILRに前記端末の反対端情報を伝送し、その中に、伝送した前記端末の反対端情報は少なくとも前記端末の反対端のAIDを含むように設置される反対端情報伝送モジュールを含む。
【００４２】
前記反対端情報メンテナンスモジュールは更に、
端末が通信反対端へ送るアップリンクデータメッセージ及び通信反対端が前記端末へ送るダウンリンクデータメッセージを受ける時、前記アップリンク或いはダウンリンクデータメッセージにおける通信反対端のAIDを検査し、且つ前記通信反対端のAIDに基づき、ローカルで該通信反対端の情報を保存するか否かを検索し、保存しなければ、反対端情報を保存し、該反対端情報は少なくとも該通信反対端のAID情報を含み、及び、
前記端末の通信反対端がオフイランする通知をリアルタイムストリームによって検出する或いは受ける時、メンテナンスした反対端情報から該通信反対端の情報を削除するように設置される。
【００４３】
前記反対端情報伝送モジュールはリアルタイム或いは定期的にメンテナンスした前記端末の反対端情報を直接或いは元移動性管理エンティティを介し、前記端末のホームILRに伝送するように設置され、
前記ILRは端末のAID-RIDマッピング情報及び受けた端末の反対端情報を保存するように設置される情報記憶モジュールと、前記登録更新を受けた後、保存した前記端末のAID-RIDマッピング情報を更新し、且つ保存した前記端末の反対端情報に基づき、前記端末の反対端ゲートウェイ及び/又は反対端移動性管理エンティティに前記端末のRIDを更新する通知を起動するように設置される情報更新及び通知モジュールを含む。
【００４４】
前記反対端情報伝送モジュールが端末は切替が発生する時、メンテナンスしたハンドオーバーアウト端末及びハンドオーバーイン端末の反対端情報を直接或いは移動性管理エンティティを介して前記端末のホームILRに伝送するように設置され、
前記ILRは端末のAID-RIDマッピング情報を保存するように設置される情報記憶モジュールと、前記登録更新を受けた後、保存した前記端末のAID-RIDマッピング情報を更新し、且つ受けた前記端末の反対端情報に基づき、前記端末の反対端ゲートウェイ及び/又は反対端移動性管理エンティティに前記端末のRIDを更新する通知を起動するように設置される情報更新及び通知モジュールを含む。
【００４５】
前記情報更新及び通知モジュールは更に、前記端末の反対端情報における通信反対端のAIDに基づき、ローカル或いは通信反対端のホームILRで前記通信反対端のRIDを検索し、前記通信反対端のゲートウェイ或いは移動性管理エンティティに前記端末のRIDを更新する通知を送信し、前記端末のAID及び新しいRIDを載せるように設置される。
【００４６】
前記切替システムは更に前記ゲートウェイと繋がるS-GWを含み、
前記ゲートウェイは更に、
ハンドオーバーイン端末に本ゲートウェイを指向する新しいRIDを割り当て、前記端末AIDと前記新しいRIDとのマッピング情報を保存するように設置されるハンドオーバーイン制御モジュールと、
ハンドオーバーイン、ハンドオーバーアウト端末のデータメッセージに対して、RIDカプセル化、RIDカプセル化解除と転送処理を行うように設置されるメッセージ転送モジュールと、
ハンドオーバーイン端末のために、目標S-GWとの間の転送チャネルを構築するように設置される第一チャネル構築モジュールを含み、
前記S-GWはハンドオーバーイン端末のために、目標ゲートウェイと目標無線側ネットワーク要素との間のチャネルを構築し、データメッセージの転送を行い、及び移動性管理エンティティとゲートウェイとの間でやり取りするな情報を伝達するように設置される。
【００４７】
前記ゲートウェイは更にRID登録モジュールを含み、前記ゲートウェイのハンドオーバーイン制御モジュールは更にハンドオーバーイン端末に新しいRIDを割り当てた後、該RID登録モジュールをアクティブ化するように設置され、該RID登録モジュールはハンドオーバーイン端末のホームILRに登録更新を起動し、該ハンドオーバーイン端末の新しいRIDを載せるように設置され、或いは、
前記ゲートウェイのハンドオーバーイン制御モジュールは更にハンドオーバーイン端末に新しいRIDを割り当てた後、該新しいRIDを目標S-GWを経て目標移動性管理エンティティに伝達するように設置され、前記目標移動性管理エンティティは更にRID登録モジュールを含み、前記目標移動性管理エンティティのRID登録モジュールは更にハンドオーバーイン端末の新しいRIDを受けた後、ハンドオーバーイン端末のホームILRに登録更新を起動し、該ハンドオーバーイン端末の新しいRIDを載せるように設置される。
【００４８】
前記ゲートウェイは更に第二チャネル構築モジュールを含み、前記ゲートウェイにおけるハンドオーバーイン制御モジュールは更にハンドオーバーイン端末に新しいRIDを割り当てた後、前記第二チャネル構築モジュールをアクティブ化するように設置され、
前記第二チャネル構築モジュールはゲートウェイ間の信号インタフェースを介し、前記ハンドオーバーイン端末のハンドオーバーアウトゲートウェイに転送チャネル構築要求を送信し、本ゲートウェイがハンドオーバーイン端末のためにハンドオーバーアウトゲートウェイ間の転送チャネルを構築することで割り当てたチャネル情報を載せ、及び目標ゲートウェイが送信したハンドオーバーアウト端末のために転送チャネルを構築する構築要求を受けた後、目標ゲートウェイに転送チャネル構築応答を返信するように設置される。
【発明の効果】
【００４９】
従来の技術と比較して、本発明は少なくとも以下の通りの有利的な効果がある：
ID識別子とロケータ識別子が分離する方式で無線通信システムにおける非アンカー方式の移動性を実現し、それにより、既存通信ネットワークにおいて固定アンカーポイントメカニズムだけ採用可能であることによる各種の問題を解決し、移動後のデータ迂回の現象を回避し、効果的に端末の無線通信システムにおける移動性能を向上させ、
端末ホームILRが平時に反対端情報を保存し、或いは切替過程にアップロードした反対端情報を受信することに基づき、端末ホームILRによって、反対端へのRIDを更新する流れを起動し、切替過程にハンドオーバーインゲートウェイ及び切出ゲートウェイ間に多量な反対端情報を伝達することを回避する。
【図面の簡単な説明】
【００５０】
図面の簡単な説明は本発明の更なる理解を提供することに用いられ、且つ説明書の一部を構成し、本発明の実施例とともに本発明を説明することに用いられ、本発明を制限するものではない。
【図１ａ】図1aは従来の技術における無線通信ネットワークが接続する模式図である。
【図１ｂ】図1bは従来の技術における無線通信ネットワークが異なるS-GW間を切り替える模式図である。
【図１ｃ】図1cは従来の技術における端末が固定アンカーポイント方式を採用する切替フロー図である。
【図１ｄ】図1dは本発明による実施例のSILSNアーキテクチャーのネットワークトポロジー模式図である。
【図２】図２は本発明がSILSNアーキテクチャーを採用する第一の種類のEPSネットワークの接続模式図である。
【図３】図３は本発明がSILSNアーキテクチャーを採用する第二の種類のEPSネットワークの接続模式図である。
【図４】図４は本発明がSILSNアーキテクチャーを採用する第三の種類のEPSネットワークの接続模式図である。
【図５】図５はは本発明の提供した端末が異なるP-GW間を切り替える過程のフローチャート（１）である。
【図６】図６は本発明の提供した端末が異なるP-GW間を切り替える過程のフローチャート（２）である
【図６ａ】図6aは本発明の提供した端末が異なるP-GW間を切り替える過程のフローチャート（３）である。
【図７】図７は本発明の提供した端末が異なるP-GW間を切り替える過程のフローチャート（４）である。
【図８】図８は本発明の提供した端末が異なるP-GW間を切り替える過程のフローチャート（５）である。
【図９】図９は本発明の提供した端末が異なるP-GW間を切り替える過程のフローチャート（６）である。
【図１０】図１０は本発明の提供したP-GWの構成模式図である。
【発明を実施するための形態】
【００５１】
以下、図面と具体的な実施例を参考しながら、本発明に記載する技術方案をより詳しく説明し、当業者はよりよく本発明を理解可能にし、且つそれを実施できるようにするが、挙げた実施例は本発明に対する制限ではない。
【００５２】
本発明は上記SILSNアーキテクチャーを制御プレーンとメディアプレーンが分離するネットワークに応用することで、固定アンカーポイントのない切替を実現する。背景技術に記載しているSILSNアーキテクチャー及びその動作原理によって、端末は移動が発生し、異なるASN間の切替が発生する時、ハンドオーバーイン側の目標ASNは端末にRIDを割り当て、該端末ホームILRに登録を起動し、ハンドオーバーアウト側のリソースASNは該端末のAID-RIDマッピング情報及び該端末のAIDと通信反対端のAIDとの対応関係情報及び該端末の通信反対端のAID-RIDマッピング情報を含むメンテナンスした該端末の反対端情報を削除する必要がある。通信反対端が該端末に送信するメッセージを迅速に目標ASNにルーティングできるように、通信反対端がアクセスしたゲートウェイにRID更新通知を送信することが可能である。
【００５３】
以下、EPSネットワークを基に、三種類のSILSNアーキテクチャーを採用するEPSネットワークを提供し、端末ID識別子とロケータが分離することが必要となる既存システムにおける改善について、説明する。グレードアップするために必要となるネットワーク要素、例えばP-GW、MMEにおいて、以下内容で言及した端末のID識別子とロケータが分離することに関連する機能モジュール以外に、EPSシステムに既存した他の機能モジュールをリザーブする必要があり、以下一々に説明しない。
【００５４】
本文に、通信反対端がアクセスしたネットワーク要素を反対端ネットワーク要素と略称する。
【００５５】
ネットワークアーキテクチャー１
第一の種類のSILSNアーキテクチャーを有するEPSネットワークのアーキテクチャーは図2に示すように、図に該アーキテクチャーネットワークにおける主なネットワーク要素及び各ネットワーク要素間の接続インタフェースを示した。
【００５６】
SILSNアーキテクチャーのアクセスネットワーク部分は主にEPSネットワークにおける無線アクセスネットワークにより実現され、EPSネットワークにおけるMME、S-GWとグレードアップした後のP-GWは共同でASNが完成する機能を実現する。それと同時に、P-GWとのインタフェースを有するILR、PTF等のネットワーク要素を増加し、これらのネットワーク要素は論理ネットワーク要素であり、物理エンティティにおいて既存するネットワーク要素と合設可能である。P-GWが接続した、RIDルーティング、転送をサポートするパケットデータネットワーク（PDN）は汎用転送プレーンを構成する。P-GWとILRとの間にシグナリングインタフェースが存在し、MMEとILRとの間にシグナリングインタフェースが存在せず、AID、RIDに関する処理は主にP-GWにおいて実現する。
【００５７】
その中に、P-GWは端末にアクセスサービスを提供し、端末にRIDを割り当て、端末のAID-RIDマッピング情報をメンテナンスし、且つ該端末ホームILRで該端末のRIDを登録、キャンセルし、通信反対端ホームのILRで該通信反対端のRIDを検索し、端末の反対端情報をメンテナンスし、且つ該端末ホームILRに伝送し、データメッセージに対し、RIDカプセル化、RIDカプセル化解除と転送を行い、及び他のネットワーク要素と協調して端末の異なるP-GW間の切替を実現することに用いられる。
【００５８】
マッピング転送プレーンのILRは登録要求とキャンセル要求を受信し、ホームユーザー端末のAID-RIDマッピング情報をメンテナンスし、RID検索要求を受信した後、その中の通信反対端AIDに基づき、対応したRIDを見つけ、且つ検索要求側に返し、端末が切り替えた後、該端末の反対端情報に基づき、反対端がアクセスしたゲートウェイ（反対端ゲートウェイと略称し、例えばP-GW、他のゲートウェイであってもよく、例えばISN）にRID更新通知を送信する。ILRはエンティティにおいてホーム加入者サーバーと一緒に設置してもよく、単独に設置してもよい。
【００５９】
PTFはエンティティにおいてILRと一緒に設置する可能であり、或いは単独に設置し、P-GWが送信したホームユーザー端末のデータメッセージを受信した後、通信反対端AIDに基づき、対応したRIDを見つけ、且つメッセージヘッドの後にカプセル化し、該データメッセージを該通信反対端がアクセスしたP-GWに送信することに用いられる。受けたのは非ホームユーザー端末のデータメッセージであれば、ホームPTFに回して処理する。
【００６０】
ネットワークアーキテクチャー２
第二の種類のSILSNアーキテクチャーを有するEPSネットワークのアーキテクチャーは図3に示すように、図に本アーキテクチャーネットワークの主なネットワーク要素及び各ネットワーク要素間の接続インタフェースを示した。SILSNアーキテクチャーのアクセスネットワーク部分は主にEPSシステムにおける無線アクセスネットワークより実現され、EPSシステムにおけるS-GW、グレードアップした後のP-GWとMMEは共同でASNが完成する機能を実現する。それと同時に、P-GWとの間にインタフェースを有するILR、PTF等のネットワーク要素を増加する。これらのネットワーク要素は論理ネットワーク要素であり、物理エンティティにおいて既存のネットワーク要素と一緒に設置する可能であり、P-GWが接続したRIDルーティング、転送をサポートするパケットデータネットワーク（PDN）は汎用転送プレーンを構成する。ILRとP-GWとの間及びILRとMMEとの間にいずれも信号インタフェースが存在する。部分的な機能はMMEが完成することとなる。
【００６１】
その中に、P-GWは端末にアクセスサービスを提供し、端末にRIDを割り当て、ILRに通信反対端のRIDを検索し、端末及びその通信反対端のAID-RIDマッピング情報をメンテナンスし、データメッセージに対し、RIDカプセル化、RIDカプセル化解除と転送を行い、及び他のネットワーク要素と協調して端末の異なるP-GW間の切替を実現することに用いられる。
【００６２】
MMEはILRで端末のRIDを登録、キャンセルし、他のネットワーク要素と協調して端末の異なるP-GW間の切替を実現することに用いられる。
【００６３】
ILRとPTFの機能はアーキテクチャー一と同様であり、ここでは贅言しない。
【００６４】
ネットワークアーキテクチャー３
第三の種類はSILSNアーキテクチャーを有するEPSネットワークのアーキテクチャーは図4に示すように、図に本アーキテクチャーネットワークの主なネットワーク要素及び各ネットワーク要素間の接続インタフェースを示した。本アーキテクチャーにおいて、P-GWとILRとの間に信号インタフェースが存在せず、MMEとILRとの間に、信号インタフェースが存在する。
【００６５】
SILSNアーキテクチャーのアクセスネットワーク部分は主にEPSシステムにおける無線アクセスネットワークにより実現され、EPSシステムにおけるS-GWとグレードアップした後のP-GW、MMEは共同でASNが完成する機能を実現する。それと同時に、P-GWとの間にインタフェースを有するPTF等のネットワーク要素、及びMMEとの間に信号インタフェースが存在するILRを増加する。これらのネットワーク要素は論理ネットワーク要素であり、物理エンティティにおいて既存のネットワーク要素と一緒に設置する可能であり、P-GWが接続したRIDルーティング、転送をサポートしたPDNは汎用転送プレーンを構成する。ILRとP-GWとの間にインタフェースがないので、アーキテクチャー二と比較すると、P-GWはMMEを介してILRに通信反対端のRIDを検索する必要があり、MMEはP-GWの要求に基づいてILRに通信反対端RIDを検索し、且つ検索結果を返す機能を増加する必要がある。また、 P-GWはMMEを介してILRにメンテナンスした反対端情報を伝送する必要がある。P-GW、ILRとMMEの他の機能はアーキテクチャー二と同様であり、ここでは、贅言しない。
【００６６】
以上、ネットワークアーキテクチャーはいずれも端末が非ローミングする状況下で図示するものであり、端末がローミングを行う場合に、P-GW或いはS-GWは訪問地域のILR/PTFを介して端末所属地域のILR/PTFとやり取りする必要があり、以下の内容の端末切替のフローに影響しない。
【００６７】
以下では上記ネットワークアーキテクチャーに基づき、端末の切替過程について更に説明し、切替過程における既存メッセージの既存内容を詳しく説明しない。
【００６８】
本発明が提供した技術案は以下二種類の状況に基づく：
Ｉ：P-GWが平時に端末ホームILRにメンテナンスした反対端情報を伝送し、端末ホームILRが端末の反対端情報を保存する状況
（1）ハンドオーバーアウトP-GWは検出した増加の反対端情報を端末ホームILRに伝達し、且つRID更新を起動しようとする反対端情報としてマークすればよく、転送チャネルを解放する或いは設置伝送タイマーが伝送をトリガーするまでハンドオーバーアウトP-GWは反対端情報をメンテナンスし、
（2）目標P-GWはただ端末ホームILRに汎用転送プレーンから転送してくるデータメッセージを検出して確定した変化した反対端情報をアップロードし、
（3）端末ホームILRは登録要求を受信した後、保存した反対端情報に基づき、反対端までのRID更新フローを起動し、後続にハンドオーバーアウトP-GWが送信したRID更新を起動する必要があると識別する変化した反対端情報を受けた後、更にこれらの反対端に更新を起動する。
【００６９】
II：P-GWが切り替える時、端末ホームにILRにメンテナンスした反対端情報を伝送する状況：
（1）元P-GW及び/又は目標P-GWは端末ホームILRにメンテナンスした反対端情報を伝達し、
（2）端末ホームILRは登録要求を受け、端末の新しいRIDを了解した後、受けた反対端情報に基づき、反対端までのRID更新フローを起動する。
【００７０】
第二の種類の状況に応じ、元P-GW及び/又は目標P-GWは端末ホームILRに反対端情報を伝送するとともに、RID更新通知を送信でき、端末ホームILRは該RID更新通知及び反対端情報に基づき、反対端までのRID更新フローを起動する。或いは、端末ホームILRは反対端情報を受けた後、自分で反対端までのRID更新フローを起動するタイミングを決定してもよく、端末ホームILRが反対端情報を受けた後、早急に反対端までのRID更新フローを起動することは好ましく、できるだけ速く反対端が早急に端末RIDを更新するように知らせ、UEが完全に目標側に切り替えた後、まだ更新せず、データを依然として元P-GWに伝送することを回避するためである。
【００７１】
以下、図面と具体的な実施例を参照ながら、本発明が提供した端末の切替方法を詳細に説明する。
【００７２】
図5において図2に示したネットワークアーキテクチャー一の上で、端末が異なるP-GW間を切り替えるフローを示し、元P-GWと違う目標P-GWを確定し、二つのP-GWはP-GW間の信号インタフェースを介してやり取りすることで、データ転送経路を構築し、該フローの具体的なステップは以下通りである：
ステップ501において、無線側ネットワーク要素はS1切替を起動する必要があると判断し、
ステップ502において、元無線側ネットワーク要素は元MMEに切替要求を送信し、
ステップ503において、元MMEは目標MMEにリロケーションフォワード要求メッセージを送信し、元P-GWアドレスと端末のAIDを持ち、
ステップ504において、目標MMEは目標S-GWにセッション構築要求を起動し、端末のAID、元P-GWアドレスと確定した目標P-GWアドレスを持ち、元P-GWが割り当てたチャネル識別を持つことが不要であり、目標S-GWは目標P-GWにセッション構築要求を送信し、端末のAIDと元P-GWアドレスを持ち、
目標S-GWは該目標P-GWにセッション構築要求を送信し、また目標P-GWとの間のチャネルを構築するために割り当てたチャネル情報を載せることができる。
【００７３】
各実施例において、目標MMEはローカル策略（例えば端末が存在する位置区域及び/又はネットワーク配置情報、位置区域は例えばLAI、RAI、TAI或いは無線側ネットワーク要素ID等である）によって目標P-GWを確定可能であり、端末或いは無線側ネットワーク要素の指示で目標P-GWを確定してもよい。例えば、一つの例示において、端末の位置区域によって、該端末と最も近い且つ同じAPNに属するP-GWを選択する。もう一つの一実施例において、目標S-GWにより目標P-GWを確定し、且つ目標MMEを通知する。
【００７４】
ステップ505において、目標P-GWは端末に新しいRIDを割り当て、且つ該端末AIDと該新しいRIDのマッピング情報を保存し、
ステップ506において、目標P-GWは該端末ホームILRにRID登録を起動し、該端末ホームILRが保存した該端末のRIDを新しいRIDに更新し、
目標P-GWはRID登録を起動する時、端末ホームILRにRID登録要求を送信し、該端末AIDと新しいRIDを載せ、該ILRが受けた後、該端末のAID-RIDマッピング情報を更新し、即ち、保存した該端末AID-RIDマッピング情報におけるRIDを該新しいRIDに更新する。
【００７５】
該端末ホームILRはRID登録要求を受けた後、ローカルで保存した該端末の反対端情報に基づき、反対端までのRID更新フローを起動し、反対端ゲートウェイにRID更新通知を送信し、該端末のAIDと新しいRIDを載せる。反対端ゲートウェイはRID更新通知を受けた後、該端末のAID-RIDマッピング情報を更新し、即ち、保存した該端末のAID-RIDマッピング情報におけるRIDをRID更新通知に載せた新しいRIDに更新する。
【００７６】
選択的に、目標P-GWは端末のILRに登録更新を起動すると同時に、また保存した反対端情報を載せる。ILRは受けた反対端情報及び/又はローカルで保存した反対端情報に基づき、反対端P-GWに端末のAID-RID情報を更新するように通知できる。すべての反対端が回答した更新応答を受けた後、ILRが目標P-GWに反対端情報を伝送する応答メッセージを送信することも選択可能である。
【００７７】
本文において、ゲートウェイ（例えばP-GW）がメンテナンスした端末の反対端情報は反対端のAIDを含み、また反対端のAID-RIDマッピング関係を含み、そうすると、データメッセージを受けた後、直接ローカルでメンテナンスした反対端情報に基づき、データメッセージの転送を行うことができることがこのましい。しかし、P-GWは端末ホームILRに反対端情報を伝送する時、反対端のAID情報だけ伝送可能であり、この時、端末ホームILRは反対端情報における反対端のAID情報に基づき、対応したRID情報を検索でき、反対端ゲートウェイにRID更新通知を送信する。勿論、P-GWが伝送した反対端情報は反対端のAIDを含んだ上に、反対端のAID-RIDマッピング関係も含んでもよく、この時、端末ホームILRは直接反対端情報における反対端のRID情報に基づき、反対端ゲートウェイにRID更新通知を送信できる。
【００７８】
該ステップ506とステップ507はいずれもステップ505の後に実行でき、固定の前後順序がない。
【００７９】
ステップ507において、目標P-GWは元P-GWに転送チャネル構築要求を送信し、元P-GWと目標P-GW間のアップリンクとダウンリンク転送チャネルを構築するように要求し、該アップリンクとダウンリンク転送チャネルを構築するために割り当てたチャネル情報を載せ、
目標P-GWが該ステップにおいて送信した転送チャネル構築要求に該端末の新しいRIDを載せることは選択可能である。
【００８０】
ステップ508において、ハンドオーバーアウトP-GWは目標P-GWに転送チャネル構築応答を回答する。
【００８１】
ステップ503において、端末コンテクスト情報には端末の元RID情報を含まなければ、元P-GWは該応答に端末のAID情報と元RID情報を載せることは選択可能であり、その中に、元RID情報を載せる目的は端末の元RID情報を目標P-GWに持つことにある。これはステップ506が該ステップ508の後に実行される可能性があるので、このような場合に、ステップ506に端末の元RIDと新しいRID情報を載せ、ILRがRID登録更新要求を受ける時、該元RIDが正確であるか否かを検証し、正確であると検証すると、ILRは端末のAID-RIDマッピング情報の更新を行い、正確ではないと検証すると、ILRは多種な処理を行うことができる。例えば、失敗を回答し、更新せず、バックグラウンド記録を行う等のためである。或いは、ILR（例えば、一つのAIDが複数のRIDに対応する時）は該ステップにおけるハンドオーバーアウトRIDに基づき、該端末のAID-RIDマッピング情報を検索し、便利に更新を行うためである。
【００８２】
該ステップの後、データのフローは下記のとおりである：
元P-GWが受けた該端末に送信するダウンリンクデータメッセージの流れの方向は元P-GW--目標P-GW--目標S-GWであり、データを目標S-GW中にキャッシュする。
【００８３】
該ステップの後、端末RIDをすでに更新した反対端P-GWは端末に送るデータを直接目標P-GWに送信し、目標P-GWが受けた該端末に送るダウンリンクデータのフローの方向は目標P-GW--目標S-GWであり、データを目標S-GW中にキャッシュする。
【００８４】
端末が送信したアップリンクデータのフローの方向は端末--元無線側ネットワーク要素--元S-GW--元P-GW--目標P-GWであり、通信反対端が異なるP-GWにアクセスすると、目標P-GWは更に該反対端P-GWに転送する。
【００８５】
ステップ509において、目標P-GWは反対端情報伝送タイマー及び/又は解放タイマーを設置することは選択可能であり、
その中に、反対端情報伝送タイマーを設置する目的は反対端情報をILRに伝送することにある。解放タイマーを設置する目的は目標P-GWが転送チャネルを削除するようにトリガーすることにある。これ以外に、目標MMEにより解放タイマーを設置し、且つ該タイマーが満期となる時、目標P-GWが転送チャネルを削除するように通知できる。
【００８６】
該ステップ509はステップ505の後に実行できる。
【００８７】
ステップ510において、目標P-GWは目標S-GWにセッション構築応答メッセージを回答し、目標S-GWとの間のチャネルを構築するために割り当てたチャネル情報を載せ、目標S-GWは目標MMEにセッション構築応答メッセージを回答する。
【００８８】
ステップ511において、目標MMEは目標無線側ネットワーク要素が切替を実行するように要求する。
【００８９】
ステップ512において、目標無線側ネットワーク要素は目標MMEに切替要求確認メッセージを回答し、転送チャネル情報を載せる必要がない。
【００９０】
ステップ513において、目標MMEは元MMEにリロケーションフォワード応答メッセージを送信する。
【００９１】
ステップ514において、元MMEは元無線側ネットワーク要素に切替命令を送信する。
【００９２】
ステップ515において、元無線側ネットワーク要素は端末に切替命令を送信する。
【００９３】
ステップ516において、端末は目標無線側ネットワーク要素に切替確認メッセージを起動する。
【００９４】
ステップ517において、目標無線側ネットワーク要素は目標MMEに切り替えるように通知する。
【００９５】
ステップ518において、目標MMEは元MMEにリロケーションフォワード完成通知メッセージを送信する。
【００９６】
ステップ519において、元MMEは目標MMEにリロケーションフォワード完成確認メッセージを返信する。
【００９７】
ステップ520において、目標MMEは目標S-GWがベアラ情報を修正するように要求し、目標S-GWはP-GWに修正ベアラ要求メッセージを送信しない。
【００９８】
ステップ521において、目標S-GWは目標MMEにベアラ修正結果を回答する。
【００９９】
ステップ522において、目標P-GWは端末の反対端情報をメンテナンスし、且つ定時或いはリアルタイムに端末ホームILRに反対端情報を伝送する。該ステップ522はステップ508の後、直ちに実行してもよく、ステップ509に設置した反対端情報伝送タイマーが満期となる時、トリガーして実行してもよい。
【０１００】
本実施例において、目標P-GWは元P-GWが転送チャネルから転送してくるデータメッセージと他のP-GWが汎用転送プレーンから転送してくるデータメッセージの検出によって、該端末の反対端情報を構築し、且つメンテナンスする。本文には、P-GWが反対端情報をメンテナンスする時、リアルタイムストリーム検出メカニズム及び/又はデータメッセージにおける通信反対端のAID或いは通信反対端のAID-RIDを検査することで、発現した新しい通信反対端のAID或いは通信反対端のAID-RIDを該反対端情報に添加でき、リアルタイムストリームの検出或いは反対端通知を受けることで、反対端がオフイランすることを了解すると、反対端情報における該通信反対端のAID等を削除することなどがある。
【０１０１】
目標P-GWが更に目標S-GWから伝送したアップリンクデータメッセージ（ステップ516の後）を検出することで、該端末の反対端情報をメンテナンスすることは選択可能である。
【０１０２】
本文にいわゆるリアルタイム伝送とは目標P-GWが端末の反対端情報が変化すると見つける時（例えば新設した通信反対端があり、或いは既存通信反対端を削除する）、変化した反対端情報を端末ホームILRに通知することを指し、いわゆる定時伝送とは目標P-GWが毎回定時時間が満期となると、今回定時時間内に変化した反対端情報を端末ホームILRに通知することを指す。該ILRは該端末の反対端情報を受けた後、保存或いは更新を行う。上記リアルタイム或いは定時伝送は端末がオフイランする或いは新しい切替が発生するまで持続でき、切替過程に限定するわけではない。
【０１０３】
端末ホームILRはすでに元P-GWがアップロードした反対端情報を保存したので、目標P-GWは端末ホームILRに汎用転送プレーンが転送してくるデータメッセージ及び目標S-GWが伝送したアップリンクデータメッセージを検出して確定した変化した反対端情報だけアップロードする。
【０１０４】
目標P-GWは元P-GWが転送してくるデータメッセージを検出して見つけた変化した反対端情報について、アップロード可能であるが、アップロードする時、RID更新を起動しようとする反対端情報と識別可能であり、RID更新を起動する必要がない反対端情報（他のP-GWが汎用転送プレーンから転送してくるデータメッセージを検出して確定した増加した反対端情報）と区分することは選択可能である。
【０１０５】
ステップ523において、元P-GWは端末ホームILRに変化した反対端情報を伝送し、増加したと削除した反対端情報を含み、増加した反対端情報をRID更新を起動しようとする反対端情報としてマークすることは好ましく、
端末ホームILRはRID更新を起動しようとしてマークする反対端情報を受けた後、相応した反対端ゲートウェイにRID更新通知を送信し、該端末のAIDと新しいRIDを載せる。反対端ゲートウェイはRID更新通知を受けた後、該端末のAID-RIDマッピング情報を更新する。
【０１０６】
アップロードタイミング方面において、少なくとも以下通りの複数種類の状況に分けられる：
1) 元P-GWはステップ507の後、前回伝送した後に変化が発生した反対端情報があると判断すれば、転送チャネルを解放するまで、端末ホームILRに変化した反対端情報を伝送し、一回だけ伝送してもよく、リアルタイム或いは定時に複数回に判断し、伝送してもよく、
2) 元P-GWは転送チャネルを解放する時、前回伝送した後、変化が発生した反対端情報があると判断すれば、端末ホームILRに一回に変化した反対端情報を伝送し、
3) 元P-GWはステップ507において転送チャネル構築要求を受けた後、一つの伝送タイマーを設置し、該伝送タイマーが満期となる時、前回伝送した後、変化が発生した反対端情報があると判断すれば、端末ホームILRに変化した反対端情報を一回伝送する。
【０１０７】
本実施例において、ILRがメンテナンスした端末の反対端情報は通信反対端のAIDとRIDを含むので、端末のRIDが切り替えることで変化が発生する時、二種類の方式で反対端ホームのILRにおける該端末のAID-RIDを更新できる：
1) 反対端P-GWは該端末のAID-RIDを更新した後、該反対端ホームILRに変化した反対端情報をアップロードし、その中に、該端末を更新した後のAID-RIDを含み、反対端ホームILRが受けた後、保存した該端末のAID-RIDを更新し、
2) 端末ホームILRは反対端P-GWにRID更新通知を送信する時、反対端ホームILRにもRID更新通知を送信し、その中に、該端末を更新した後のAID-RIDを載せ、反対端ホームILRが受けた後、保存した該端末のAID-RIDを更新する。
【０１０８】
もう一つの実施例において、ILRがメンテナンスした端末の反対端情報は通信反対端のAIDだけ含めば、ILRが反対端ゲートウェイにRID更新通知を送信する前に、反対端ホームILRから反対端ゲートウェイのRIDを検索する必要がある。且つ端末ホームILRが反対端P-GWにRID更新通知を送信する時、更に反対端ホームILRにRID更新通知を送信することは不要である。
【０１０９】
元P-GWは端末ホームILRに端末の新しいRID情報を伝送でき、端末ホームILRは該新しいRIDを検証でき、検証を通過した後、更に反対端ゲートウェイにRID更新通知を送信することは選択可能である。
【０１１０】
端末は複数のRIDを有すれば、ILRは各々のRIDに対し、それぞれ端末の反対端情報をメンテナンスし、それに応じ、元P-GWと目標P-GWが反対端情報を伝送する時、いずれも相応したRIDを載せることは選択可能である。
【０１１１】
これ以外に、端末ホームILRにおいて保存した反対端情報は一つの反対端AIDが複数のRIDに対応する状況に対し、端末ホームILRは反対端P-GWにRID更新通知を送信する時、端末の元RIDを載せる必要があり、反対端ILRが端末のどのRIDを更新するかを分かるようにする。
【０１１２】
ステップ524、元ネットワークセッションの削除及び転送チャネル解放フローを実行する。
【０１１３】
その中に、転送チャネル解放フローについて、目標P-GWは設置した解放タイマーによってトリガーして実行でき、或いは、MMEが解放タイマーを設置する時、目標P-GWはMMEが送信した解放メッセージによってトリガーして転送チャネル解放フローを実行でき、或いは、元P-GWは解放タイマー（例えばステップ507の時、解放タイマーを設置する）を設置し、トリガーして実行できる。
【０１１４】
上記フローにおいて、目標S-GWはステップ504に異なるP-GW間の切替を見つけると、後続に到着したダウンリンクデータをキャッシュし、ステップ520までにダウンリンクデータを端末に送る。
【０１１５】
切替が完成した後、アップリンクデータメッセージの転送経路は端末→目標無線側ネットワーク要素→目標S-GW→目標P-GWであり、目標P-GWはメッセージに対しRIDカプセル化と転送を行い、PDNを経ち反対端ゲートウェイにルーティングする。ダウンリンクデータメッセージの転送経路は目標P-GW→目標S-GW→目標無線側ネットワーク要素→端末であり、目標P-GWはメッセージをRIDカプセル化解除する。これにより、固定アンカーポイントのない切替を実現し、ルーティングの迂回を回避した。他の目標P-GWとリソースP-GWが異なる実施例は切り替えた後の転送経路がいずれもこれと同様である。
【０１１６】
上記フロー図5において、ハンドオーバーアウトP-GWと目標P-GWはそれぞれ端末の反対端情報をメンテナンスする必要があり、具体的に以下通りの方式がある：
方式１：元P-GWと目標P-GW間の転送チャネルを構築した後、元P-GWは受けた端末に送るメッセージを検出し、リソースアドレス情報を取得し、それにより、反対端情報をメンテナンスし、でも、RIDカプセル化を解除せずに、データメッセージにおける目的アドレス情報を目標P-GWのアドレス情報に修正し、目標P-GWに転送し、目標P-GWは元P-GWが転送したメッセージをRIDカプセル化解除し、且つ該端末の反対端情報をメンテナンスする。
【０１１７】
方式２：元P-GWと目標P-GW間の転送チャネルを構築した後、元P-GWは受けた端末に送るメッセージに対し、RIDカプセル化解除と検出を行い、該端末の反対端情報をメンテナンスし、且つメンテナンスした該端末の反対端情報を目標P-GWに伝達し、目標P-GWは元P-GWが転送したメッセージをRIDカプセル化解除する必要がなく、元P-GWが伝達した反対端情報に基づき、該端末の反対端情報をメンテナンスする。
【０１１８】
方式３：元P-GW与と目標P-GW間の転送チャネルを構築した後、元P-GWは受けた後の端末に送るメッセージに対し、RIDカプセル化解除と検出し、該端末の反対端情報をメンテナンスし、カプセル化解除しないデータメッセージを一式コピーし、目標P-GWに転送し、目標P-GWは元P-GWが転送したメッセージをRIDカプセル化解除し、且つ該端末の反対端情報をメンテナンスする。
【０１１９】
上記フロー図5は目標S-GWがデータをキャッシュする場面を現し、目標無線側ネットワーク要素を採用してデータをキャッシュする状況に対し、ステップ520とステップ521をステップ512の後に繰上げて実行する必要がある。これ以外に、他のステップは上図5と一致するので、ここでは贅言しない。
【０１２０】
上記フローから、元P-GWと目標P-GWは共同で端末の反対端情報をメンテナンスし、切替過程に通信反対端テーブルを伝達する必要がなく、P-GW負荷が過重で処理性能を影響することを回避することは分かった。勿論、元P-GWはメンテナンスした反対端情報を目標P-GWに伝達してもよく、この時、目標P-GWはILRに元P-GWから伝送してくる反対端情報をアップロードしなくてもよい。
【０１２１】
これ以外に、本発明のもう一つの実施例において、ILRには端末の反対端情報を保存せず、このような状況に対し、元P-GWは切替が発生した後だけで、端末ホームILRにRID更新通知を送信し、且つメンテナンスした反対端情報を伝送し、端末ホームILRはRID更新通知と反対端情報を受けた後、反対端までのRID更新フローを起動する。
【０１２２】
本実施例の切替フローと図5に示した実施例フローの主な区別は反対端情報の伝送、及び端末ホームILRが反対端にRID更新フローを起動するタイミングにあり、現在本実施例の切替フローと図5に示した切替フローと区別があるステップは以下のに挙げる：
（1）ステップ506において、目標P-GWが該端末ホームILRにRID登録要求を起動し、該端末AIDと新しいRIDを載せ、該端末ホームILRは該RID登録要求を受けた後、該端末のAID-RIDマッピング情報を更新し、ローカルで保存した該端末の反対端情報に基づき、反対端までのRID更新フローを起動し、反対端ゲートウェイにRID更新通知を送信する。
【０１２３】
本実施例において、該端末ホームILRがRID登録要求を受けた後、ローカルで端末の反対端情報を保存しないので、この時、反対端ゲートウェイにRID更新通知を送信しなくてもよい。
【０１２４】
本実施例において、目標P-GWは該端末ホームILRにRID登録要求を起動すると同時に、メンテナンスした反対端情報を載せ、端末ホームILRが該RID登録要求を受けた後、該RID登録要求における反対端情報に基づき、反対端ゲートウェイにRID更新通知を送信できることは選択可能である。
【０１２５】
（2）ステップ509において、目標P-GWは反対端情報伝送タイマー及び/又は解放タイマーを設置する。
【０１２６】
ステップ522において、目標P-GWは端末の反対端情報をメンテナンスし、且つ定時或いはリアルタイムにILRに反対端情報を伝送する。
【０１２７】
本実施例において、目標P-GWは端末の反対端情報をメンテナンスし、反対端情報のメンテナンス方式は前述実施例と同じ、しかし、目標P-GWは切替過程に端末ホームILRにメンテナンスした端末の反対端情報を伝送しなく、このため、更に伝送タイマーを設置しない場合でも、解放タイマーを設置し、転送チャネル解放フローをトリガーすることができる。
【０１２８】
或いは、元P-GWは切替過程に端末ホームILRにメンテナンスした端末の反対端情報を伝送せず、ただ目標P-GWにより端末ホームILRにメンテナンスした反対端情報を伝送することは選択可能である。
【０１２９】
或いは、切替過程に元P-GWと目標P-GWは同時に端末ホームILRにメンテナンスした反対端情報を伝送することは選択可能である。
【０１３０】
（3）ステップ523において、元P-GWは端末ホームILRに変化した反対端情報を伝送し、且つRID更新を起動しようとする反対端情報としてマークし、且元P-GWが端末ホームILRに変化した反対端情報を伝送する時、伝送するタイミングは前に記載する通りに、複数の種類を有することができる。
【０１３１】
本実施例において、元P-GWで切替のみ発生した後、メンテナンスした端末の反対端情報を端末ホームILRに伝送し、具体的には、元P-GWはステップ507の後、リアルタイム或いは定時に端末ホームILRに反対端情報を伝送し、或いはステップ507の後、伝送タイマーを設置し、該伝送タイマーが満期となる時、メンテナンスした反対端情報を全部端末ホームILRに伝送し、或いは、転送チャネルを解放する時、メンテナンスした反対端情報をすべて端末ホームILRに伝送する。端末ホームILRは伝送した反対端情報を受ける時、反対端までのRID更新流れを起動する。本実施例において、元P-GWは端末ホームILRに反対端情報を伝送する時、RID更新を起動しようとする識別子を載せることが選択可能である。
【０１３２】
上記元P-GWが切替過程に端末ホームILRにメンテナンスした端末の反対端情報を伝送せず、ただ目標P-GWにより端末ホームILRにメンテナンスした反対端情報の状況を伝送することで、該ステップ523を省くことができる。
【０１３３】
上記区別以外に、本実施例の切替フローは図5に示した切替フローと基本的に一致するので、ここでは、詳述しない。
【０１３４】
図6は図3に示したネットワークアーキテクチャー二の上に、端末が異なるP-GW間を切り替えるフローを示し、ハンドオーバーアウトP-GWと違う目標P-GWを確定し、二つのP-GWはP-GW間の信号インタフェースを介して、やり取りしてデータ転送経路を構築する。
【０１３５】
該フローが図5に示したフローとの主な区別はステップ605において目標P-GWが端末に新しいRIDを割り当てた後、目標MME（ステップ609）に伝送し、且つ目標MMEにより、ILRに端末の登録更新を起動する（ステップ610）。
【０１３６】
上記区別以外に、上記フロー図6の他のステップは図5と一致するので、ここでは、贅言しない。
【０１３７】
これ以外に、図3に示したネットワークアーキテクチャー二（MMEとP-GWがいずれもILRとインタフェースを有する）に対し、端末ホームILRは端末のAID-RIDマッピング情報を更新した後、受けた端末の反対端情報に基づき、反対端までのRID更新フローを起動する時、またもう一つの実施方式を有することができ、即ち、端末ホームILRは反対端MMEにRID更新通知を送信する時、該端末のAIDと新しいRIDを載せる。反対端MMEは受けたRID更新通知を反対端ゲートウェイに伝送し、反対端ゲートウェイは受けたRID更新通知に基づき、該端末のAID-RIDマッピング情報を更新し、即ち、保存した該端末のAID-RIDマッピング情報におけるRIDをRID更新通知に載せた新しいRIDに更新する。
【０１３８】
図6aは図3に示したネットワークアーキテクチャー２或いは図4に示したネットワークアーキテクチャー３の上に、端末が異なるP-GW間の切替を行う流れを示し、元P-GWと違う目標P-GWを確定し、二つのP-GWはP-GW間の信号インタフェースを介し、やり取りしてデータ転送経路を構築する。目標MMEによりILRに端末の登録更新を起動し、P-GWはMMEを介してメンテナンスした反対端情報をILRに伝送し、該フローの具体的なステップは以下の通りである：
ステップ6a01-6a05はステップ501-505と同様である。
【０１３９】
ステップ6a06-6a08はステップ507-509と同様である。
【０１４０】
ステップ6a10において、目標MMEは該端末ホームILRに端末の登録更新要求を起動し、ILRは端末のAIDとRIDマッピング関係を更新し、保存した該端末のRIDを新しいRIDに更新する。
【０１４１】
該端末ホームILRはRID登録要求を受けた後、ローカルで保存した該端末の反対端情報に基づき、反対端までのRID更新フローを起動でき、反対端ゲートウェイにRID更新通知を送信し、該端末のAIDと新しいRIDを載せる。反対端ゲートウェイはRID更新通知を受けた後、該端末のAID-RIDマッピング情報を更新し、保存した該端末のAID-RIDマッピング情報におけるRIDをRID更新通知に載せた新しいRIDに更新する。
【０１４２】
該ステップはステップ6a09の後に実行する。
【０１４３】
この時、目標P-GWが受けた通信反対端が端末に送るダウンリンクデータメッセージのフローの方向は目標P-GW→目標S-GWであり、データを目標S-GWにキャッシュし、ステップ620までに端末に送る。
【０１４４】
ステップ6a11-6a21はステップ511-521と同様である。
【０１４５】
ステップ6a22において、目標P-GWは端末の反対端情報をメンテナンスし、且つ目標S-GWを介し、定時或いはリアルタイムに端末ホームILRに反対端情報を伝送する。
【０１４６】
該ステップとステップ522の区別は目標P-GWが目標S-GWを介し端末ホームILRに反対端情報を伝送することにある。
【０１４７】
ステップ6a23において、元P-GWは元MMEを介し、端末ホームILRに変化した反対端情報を伝送し、且つRID更新を起動しようとする反対端情報としてマークする。端末ホームILRはRID更新を起動しようとマークする反対端情報を受けた後、相応した反対端MMEにRID更新通知を送信し、該端末のAIDと新しいRIDを載せ、反対端MMEはRID更新通知を受けた後、反対端ゲートウェイに転送し、反対端ゲートウェイが受けた後、該端末のAID-RIDマッピング情報を更新する。
【０１４８】
或いは、端末ホームILRはRID更新を起動しようとマークする反対端情報を受けた後、相応した反対端ゲートウェイにRID更新通知を送信し、該端末のAIDと新しいRIDを載せ、反対端ゲートウェイはRID更新通知を受けた後、該端末のAID-RIDマッピング情報を更新する。
【０１４９】
該ステップとステップ523の主な区別は元P-GWが元MMEを介し、端末ホームILRに反対端情報を伝送し、及び、端末ホームILRが反対端のRID更新フローを起動する時、反対端ゲートウェイ及び/又は反対端MMEにRID更新通知を送信できることにある。
【０１５０】
テップ6a24において、元ネットワークセッションの削除及び転送チャネル解放フローを実行し、該ステップがステップ524と同様である。
【０１５１】
図7は図2に示したネットワークアーキテクチャー一の上に、端末が異なるP-GW間を切り替える過程のフローを示した。P-GW間には信号インタフェースがなく、MMEによって元P-GWと目標P-GW間のデータ転送経路を構築し、データをS-GWにキャッシュする。該フローの具体的なステップは以下の通りに述べる：
ステップ701-706はステップ501-506と同様である。
【０１５２】
ステップ707において、目標P-GWは目標S-GWにセッション構築応答メッセージを回答し、目標S-GWは目標MMEにセッション構築応答メッセージを回答する。
【０１５３】
ステップ707aにおいて、目標P-GWが反対端情報伝送タイマー及び/又は解放タイマーを設置することは選択可能である。
【０１５４】
該ステップはステップ509と同様である。
【０１５５】
ステップ708において、目標MMEは目標無線側ネットワーク要素が切替を実行するように要求する。
【０１５６】
ステップ709において、目標無線側ネットワーク要素は目標MMEに切替要求確認メッセージを回答し、転送チャネル情報を載せることは不要である。
【０１５７】
ステップ710において、目標MMEは目標S-GWに転送チャネル構築要求を転送し、目標S-GWは目標P-GWに転送チャネル構築要求を送信し、元P-GWと目標P-GW間のダウンリンク転送チャネルを構築するように要求し、目標P-GWが受けた後、該ダウンリンク転送チャネルに転送チャネル識別子を割り当てる。
【０１５８】
ステップ711において、目標P-GWは目標S-GWに転送チャネル構築応答を回答し、上記転送チャネル識別子を載せ、目標S-GWは目標MMEに転送チャネル構築応答を回答し、上記転送チャネル識別子を載せる。
【０１５９】
もう一つの実施形態において、ステップ704のセッション構築要求メッセージによって、ステップ710における転送チャネル構築要求を送信し、相応的に、ステップ711における転送チャネル構築応答のメッセージ内容、例えば転送チャネル識別子をステップ707のセッション構築応答メッセージにいれて伝送し、この時、ステップ710と711を取り消すことができる。
【０１６０】
ステップ712において、目標MMEは元MMEにリロケーションフォワード応答メッセージを送信する。
【０１６１】
ステップ713において、元MMEは元S-GWに転送チャネル構築要求を転送し、元S-GWは元P-GWに転送チャネル構築要求を送信し、元P-GWと目標P-GW間のダウンリンク転送チャネルを構築するように要求し、目標P-GWが割り当てた上記転送チャネル識別子を載せる。
【０１６２】
本フローは該端末に元P-GWと目標P-GW間のアップリンク転送チャネルを構築することができ、目標P-GWは該アップリンク転送チャネルに転送チャネル識別子を割り当て、且つ元P-GWに伝送する。
【０１６３】
ステップ714において、元P-GWは元S-GWに転送チャネル構築応答を回答し、ハンドオーバーアウトS-GWはハンドオーバーアウトMMEに転送チャネル構築応答を回答し、該端末の反対端情報を載せ、更に端末のすべての通信反対端のAID-RIDマッピング情報を載せることができ、元MMEは受けた反対端情報或いは反対端情報とAID-RIDマッピング情報をキャッシュする。
【０１６４】
この時、データフローの方向は以下の通りである：
元P-GWが受信した端末に送るダウンリンクデータメッセージフローの方向は元P-GW→目標P-GW→目標S-GWであり、データを目標S-GWにキャッシュする。
【０１６５】
目標P-GWが受信した端末に送るダウンリンクデータメッセージフローの方向は目標P-GW→目標S-GWであり、データを目標S-GWにキャッシュする。
【０１６６】
端末が送信するアップリンクデータメッセージのフローの方向は端末→元無線側ネットワーク要素→元S-GW→元P-GWであり、元P-GWにより、更に目標P-GWを経て転送してもよい。
【０１６７】
ステップ715において、元MMEは元無線側ネットワーク要素に切替命令を送信する。
【０１６８】
ステップ716において、元無線側ネットワーク要素は端末に切替命令を送信する。
【０１６９】
ステップ717において、端末は目標無線側ネットワーク要素に切替確認メッセージを起動する。
【０１７０】
ステップ718において、目標無線側ネットワーク要素は目標MMEが切替を行うように通知する。
【０１７１】
ステップ719において、目標無線側ネットワーク要素は元MMEにリロケーションフォワード完成通知メッセージを送信する。
【０１７２】
ステップ720において、元MMEは目標MMEにリロケーションフォワード完成確認メッセージを返信する。
【０１７３】
ステップ721において、目標MMEは目標S-GWがベアラ情報を修正するように要求する。
【０１７４】
ステップ721aにおいて、目標S-GWは目標MMEにベアラ修正結果を回答する。
【０１７５】
ステップ722-724はステップ522-524と同様である。
【０１７６】
上記フロー図7において、目標S-GWはステップ704で異なるP-GW間の切替を発見し、後続に到着したダウンリンクデータメッセージをキャッシュする必要となり、ステップ721の目標S-GWと目標無線側ネットワーク要素間のデータ経路を構築した後に、端末に送る。
【０１７７】
上記フローにおいて図5に示した切替フローと比較し、転送チャネルを構築する方式だけ異なる。
【０１７８】
上記フロー図7に目標S-GWがデータをキャッシュする場面を表し、目標無線側ネットワーク要素を採用し、データをキャッシュする状況に対し、ステップ721とステップ721aをステップ709の後に繰り上げて実行する。これ以外に、他のステップは上図7と一致するので、ここでは贅言しない
図8は図3に示したネットワークアーキテクチャー二の上に、端末が異なるP-GW間を切り替える過程のフローを示した。P-GW間には信号インタフェースがなく、MMEによって元P-GWと目標P-GW間のデータ転送経路を構築し、データをS-GWにキャッシュする。該フローの具体的なステップは以下の通りに述べる：
ステップ801-805はステップ701-705と同様である。
【０１７９】
ステップ806において、目標P-GWは目標S-GWにセッション構築応答メッセージを回答し、目標S-GWは目標MMEにセッション構築応答メッセージを回答し、端末の新しいRID情報を載せる。
【０１８０】
ステップ807において、目標MMEは端末ホームILRに端末の登録更新を起動し、端末ホームILRは端末のAID-RIDマッピング情報を更新する。
【０１８１】
該端末ホームILRはRID登録要求を受けた後、ローカルで保存した該端末の反対端情報に基づき、反対端までのRID更新フローを起動でき、反対端ゲートウェイ及び/又は反対端MMEにRID更新通知を送信し、該端末のAIDと新しいRIDを載せる。反対端ゲートウェイはRID更新通知を受けた後、該端末のAID-RIDマッピング情報を更新し、即ち、保存した該端末のAID-RIDマッピング情報におけるRIDをRID更新通知に載せた新しいRIDに更新する。
【０１８２】
ステップ807a-824はステップ707a-724と同様である。
【０１８３】
上記フローの図8は図3に示したネットワークアーキテクチャー二の場面を表し、図4に示したネットワークアーキテクチャー三に対し、図6aに類似し、図8のステップ822を目標P-GWが定時或いはリアルタイムに目標MMEを介して端末ホームILRにメンテナンスした反対端情報を伝送することに変更する必要がる。ステップ823を元P-GWが元MMEを介し端末ホームILRに変化した反対端情報を伝送し、且つRID更新を起動しようとする反対端情報とマークすることに変更する。これ以外に、他のステップは上図8と一致するので、ここでは、贅言しない。
【０１８４】
図9は図2に示したネットワークアーキテクチャー一の上に、端末が異なるP-GW間を切り替える過程のフローを示した。P-GW間は信号インタフェースがなく、MMEによってハンドオーバーアウトP-GWと目標P-GW間のデータ転送経路を構築し、データを無線側ネットワーク要素にキャッシュする。
【０１８５】
該フローのステップは図7の対応したフローのステップと基本的に同様である。ステップ901-924はそれぞれステップ701-724に対応し、二者の主な区別は、
ステップ909はステップ709の上に、目標無線側ネットワーク要素が目標MMに回答した切替要求確認メッセージには目標無線側ネットワーク要素が目標MMEまでのチャネルを構築するために割り当てたチャネル情報を載せる必要がある。
【０１８６】
ステップ910はステップ710の上に、目標MMEが目標S-GWに送信した転送チャネル構築要求メッセージには目標無線側ネットワーク要素が割り当てた上記チャネル情報を載せる必要があり、目標S-GWは受けた後、目標無線側ネットワーク要素間のダウンリンクチャネルを構築する。
【０１８７】
このように、ステップ914は元P-GWと目標P-GW間の転送チャネルを構築した後、元P-GWが受けた端末に送るダウンリンクデータメッセージは目標P-GW、目標S-GWの転送を経った後、目標無線側ネットワーク要素にキャッシュすることになる。
【０１８８】
同様に、図3に示したネットワークアーキテクチャー二に基づき、図8のフロー上で、ステップ810において目標MMEに目標無線側ネットワーク要素が目標S-GW間のチャネルを構築するために割り当てたチャネル情報を伝送し、ステップ811において、目標MMEが目標S-GWに送信した転送チャネル構築要求メッセージに該チャネル情報を載せ、事前に目標S-GWと目標無線側ネットワーク要素間に該端末のためにダウンリンクチャネルを構築する。それにより、元P-GWが受けた端末に送るダウンリンクデータメッセージは目標P-GW、目標S-GWの転送を経った後、目標無線側ネットワーク要素にキャッシュするようにする。
【０１８９】
図4に示したネットワークアーキテクチャー三の状況に対し、図6aにおけるステップ6a22とステップ6a23の処理に類似し、他のステップは上記図3に示したネットワークアーキテクチャー二中の処理と類似するので、ここでは、詳述しない。
【０１９０】
説明を簡略するように、以上すべての実施例はただ図2、3、4の端末が非ローミングする状況を例として、無線通信システムにおける端末が異なるP-GW間を切り替える処理過程を説明する。端末がローミングする場合に、端末が異なるP-GW間を切り替える処理方式は上記実施例と極に類似し、本発明を述べることに影響しないので、ここでは繰り返し述べない。
【０１９１】
説明を簡略するように、以上すべての実施例はただにMMEが変わる状況を例として無線通信システムにおける端末が異なるP-GW間を切り替える処理過程を説明する。端末が移動する時、MMEは変わらない場合に、端末が切り替える処理方式はMME間の信号やり取りの必要がなくなり、他の処理は上記実施例に極に類似し、本発明を述べることに影響しないので、ここでは繰り返し述べない。
【０１９２】
説明を簡略するように、以上すべての実施例はただMMEが存在するシステムを例としてシステムID識別子とロケータが分離する処理過程を説明するものである。S4 GPRSサービングサポートノード（Serving GPRS Support Node、SGSN）が存在するシステムにおいて、システムはID識別子とロケータが分離する処理方式が上記実施例と極に類似し、本発明を述べることに影響しないので、ここでは繰り返し述べない。
【０１９３】
以上の実施例において、RIDはP-GWのIPアドレスであってもよい。AIDはホーム加入者サーバーに契約でき、端末の識別であり、例えば、IPV6/IPV4アドレス或いは国際移動体加入者識別子（International Mobile Subscriber Identity、IMSI）或いは臨時識別子或いはネットワークアクセス識別子（Network Access Identifier、NAI）。移動性管理エンティティはMME、S4 SGSNを含む。
【０１９４】
P-GWとS-GWと合併して一つのアクセスネットワーク要素になることができる、この時、上記実施例において、S-GWとP-GW間のインタフェースが存在することが不要で、且つすべてのS-GWとP-GW間のネットワーク要素は該アクセスネットワーク要素とインタフェースする。システムのネットワーク要素機能、インタフェース（S5インタフェースを除外する）、フローは上記実施例と一致するので、ここでは繰り返し述べない。
【０１９５】
これ以外に、P-GWにおいて、リアルタイムストリームに基づいた検出方法によって、端末と反対端端末の通信関係情報をメンテナンスでき、アクセスネットワーク要素（P-GWとS-GWが合併して一つのアクセスネットワーク要素になれば）において行うことができる。
【０１９６】
端末ホームHSS、ILR、PTFを検索する方式はローカル配置を検索することで実現できる。
【０１９７】
ILR或いはPTF機能はHSS/HLR/AAAにより実現でき、或いはHSS/HLR/AAAと一緒に設置/別々に設置してもよい。
【０１９８】
これ以外に、本発明は更に無線通信システムにおける端末切替システムを提供し、パケットデータネットワークゲートウェイ、移動性管理エンティティを含み、更に上記ゲートウェイ及び/又は上記移動性管理エンティティと信号インタフェースを有するILRを含む。その中で、上記移動性管理エンティティは、上記ゲートウェイが送信した端末の新しいRIDを受けた後、上記端末のホームILRに登録更新を起動し、記載した端末の新しいRIDを載せることに用いられる。
【０１９９】
上記ゲートウェイは、ハンドオーバーインの端末に新しいロケータ識別子(RID)を割り当て、上記端末のID識別子(AID)と上記新しいRIDのマッピング関係を保存し、且つ上記端末のホームIDロケータレジスタ(ILR)に登録更新を起動し、上記端末の新しいRIDを載せ、或いは上記端末の新しいRIDを上記移動性管理エンティティに送信し、及び通信反対端の反対端のRIDを更新する通知を受けた後、上記反対端のRID情報を更新し、且つ更新応答を回答することに用いられる。
【０２００】
上記ILRは、上記登録更新を受けた後、上記端末の新しいRIDに基づき、保存した上記端末のAID-RIDマッピング情報を更新し、受けた及び/又はローカルで保存した上記端末の反対端情報に基づき、上記端末の反対端ゲートウェイ及び/又は反対端移動性管理エンティティに上記端末のRIDを更新する通知を起動し、通信反対端の反対端のRIDを更新する通知を受けた後、上記反対端のRID情報を更新することに用いられる。
【０２０１】
更に、上記ゲートウェイは、
端末の反対端情報をメンテナンスすることに用いられ、上記反対端情報に上記端末の反対端のAIDを含み、更に上記端末の反対端のAID-RIDマッピング情報を含む反対端情報メンテナンスモジュールと、
直接或いは元移動性管理エンティティによって上記端末のホームILRに上記端末の反対端情報を伝送することに用いられ、その中に、伝送した上記端末の反対端情報が少なくとも上記端末の反対端のAIDを含む反対端情報伝送モジュールを含む。
【０２０２】
更に、上記反対端情報メンテナンスモジュールは、
端末が通信反対端に送るアップリンクデータメッセージ及び通信反対端が上記端末に送るダウンリンクデータメッセージを受ける時、上記アップリンク或いはダウンリンクデータメッセージにおける通信反対端のAIDを検査し、且つ上記通信反対端のAIDに基づき、ローカルで該通信反対端の情報を保存するか否かを検索し、保存しなければ、反対端情報を保存し、該反対端情報に少なくもと該通信反対端のAID情報を含み、及び、
リアルタイムストリームによって上記端末の通信反対端がオフラインする通知を検出する或いは受ける時、メンテナンスした反対端情報から該通信反対端の情報を削除することに用いられる。
【０２０３】
更に、上記反対端情報伝送モジュールはリアルタイム或いは定期に上記端末の反対端情報を直接或いは元移動性管理エンティティによって上記端末のホームILRに伝送することに用いられる。
【０２０４】
上記ILRは、端末のAID-RIDマッピング情報、及び受けた端末の反対端情報を保存することに用いられる情報記憶モジュール、上記登録更新を受けた後、保存した上記端末のAID-RIDマッピング情報を更新し、且つ保存した上記端末の反対端情報に基づき、上記端末の反対端ゲートウェイ及び/又は反対端移動性管理エンティティに上記端末のRIDを更新する通知を起動することに用いられる情報更新及び通知モジュールを含む。
【０２０５】
更に、上記反対端情報伝送モジュールが端末は切替が発生する時、ハンドオーバーアウト端末及びハンドオーバーイン端末の反対端情報を直接或いは移動性管理エンティティによって上記端末のホームILR伝送することに用いられる。
【０２０６】
上記ILRは、更に端末のAID-RIDマッピング情報を保存することに用いられる情報記憶モジュール、上記登録更新を受けた後、保存した上記端末のAID-RIDマッピング情報を更新し、且つ受けた上記端末の反対端情報に基づき、上記端末の反対端ゲートウェイ及び/又は反対端移動性管理エンティティに上記端末のRIDを更新する通知を起動する情報更新及び通知モジュールを含む。
【０２０７】
更に、上記情報更新及び通知モジュールは上記端末の反対端情報における通信反対端のAIDがローカル或いは通信反対端のホームILRで検索して得た上記通信反対端のRIDに基づき、上記通信反対端のゲートウェイ或いは移動性管理エンティティに上記端末のRIDを更新する通知を送信し、上記端末のAID及び新しいRIDを載せることに用いられる。
【０２０８】
更に、上記切替システムはまた上記ゲートウェイと繋がるS-GWを含み、上記S-GWはハンドオーバーイン端末のために目標ゲートウェイと目標無線側ネットワーク要素間のチャネルを構築し、データメッセージ転送を行い、及び移動性管理エンティティとゲートウェイ間をやり取りする情報を伝達することに用いられる。
【０２０９】
更に、上記ゲートウェイはP-GWであってもよく、例えば、図10にP-GWが切替と関係する機能モジュールを示し、前述反対端情報メンテナンスモジュールと反対端情報伝送モジュール以外に、また、ハンドオーバーイン端末に本ゲートウェイを指向する新しいRIDを割り当て、上記端末AIDと上記新しいRIDのマッピング情報を保存することに用いられるハンドオーバーイン制御モジュール、ハンドオーバーイン、ハンドオーバーアウト端末のデータメッセージに対し、RIDカプセル化し、RIDカプセル化解除、転送処理を行うことに用いられるメッセージ転送モジュール、ハンドオーバーイン端末のために、目標S-GW間の転送チャネルを構築することに用いられる第一チャネル構築モジュールを含む。
【０２１０】
更に、上記ゲートウェイは、またRID登録モジュールを含み、上記ゲートウェイのハンドオーバーイン制御モジュールはまたハンドオーバーイン端末に新しいRIDを割り当てた後、該RID登録モジュールをアクティブ化することに用いられ、該RID登録モジュールはハンドオーバーイン端末のホームILRに登録更新を起動し、該ハンドオーバーイン端末の新しいRIDを載せることに用いられ、或いは、上記ゲートウェイのハンドオーバーイン制御モジュールはまたハンドオーバーイン端末に新しいRIDを割り当てた後、該新しいRIDを目標S-GWを経って目標移動性管理エンティティに伝送することに用いられ、上記目標移動性管理エンティティはまたRID登録モジュールを含み、ハンドオーバーイン端末の新しいRIDを受けた後、ハンドオーバーイン端末のホームILRに登録更新を起動し、該ハンドオーバーイン端末の新しいRIDを載せることに用いられる。
【０２１１】
更に、上記ゲートウェイはまた第二チャネル構築モジュールを含み、上記ゲートウェイにおけるハンドオーバーイン制御モジュールはまたハンドオーバーイン端末に新しいRIDを割り当てた後、上記第二チャネル構築モジュールをアクティブ化することに用いられる。
【０２１２】
上記第二チャネル構築モジュールは、ゲートウェイ間の信号インタフェースによって、上記ハンドオーバーイン端末の元ゲートウェイに転送チャネル構築要求を送信し、本ゲートウェイがハンドオーバーイン端末に元ゲートウェイ間の転送チャネルを構築するために割り当てたチャネル情報を載せ、及び目標ゲートウェイが送信したハンドオーバーアウト端末のために転送チャネルを構築する構築要求を受けた後、目標ゲートウェイに転送チャネル構築応答を回答することに用いられる。
【０２１３】
当然ながら、当業者は上記本発明の各モジュール或いは各ステップが通用した計算装置で実現でき、これらが単独な計算装置に集中可能であり、或いは複数の計算装置からなるネットワークに分布してもよく、これらの計算装置が実行可能なプログラムコードで実現でき、それにより、これらを記憶装置に記憶して計算装置により実行でき、或いは、それらをそれぞれ集積回路モジュールに作成し、或いはこれらの複数のモジュールやステップを単独な集積回路モジュールに制作して実現することも選択可能である。このようにして、本発明は如何なる特定な形式のハードウェアとソフトウェアの組み合わせに限らないものである。
【０２１４】
以上の内容は本発明の好適な実施例だけで、本発明を制限する目的ではなく、当業者にとって、本発明が各種の修正と変更を有することは可能である。本発明の精神とハンドオーバーアウト則の内に、作った如何なる修正、同等引替、改善等、すべてが本発明の保護範囲内に含まれるものである。
【産業上の利用可能性】
【０２１５】
本発明は少なくとも以下通りの有益な効果がある：
ID識別子とロケータ識別子が分離する方式で無線通信システムにおける非アンカー方式の移動性を実現し、それにより、既存通信ネットワークにおいて固定アンカーポイントメカニズムだけ採用可能であることによる各種の問題を解決し、移動後のデータ迂回の現象を回避し、効果的に端末の無線通信システムにおける移動性能を向上させ、
端末ホームILRが平時に反対端情報を保存し、或いは切替過程にアップロードした反対端情報を受信することに基づき、端末ホームILRによって、反対端までのRIDを更新する流れを起動し、切替過程にハンドオーバーインゲートウェイ及び切出ゲートウェイ間に多量な反対端情報を伝達することを回避する。
【図１ａ】
0005621007.tif 000002
【図１ｂ】
0005621007.tif 000003
【図１ｃ】
0005621007.tif 000004
【図１ｄ】
0005621007.tif 000005
【図２】
0005621007.tif 000006
【図３】
0005621007.tif 000007
【図４】
0005621007.tif 000008
【図５】
0005621007.tif 000009
【図６】
0005621007.tif 000010
【図６ａ】
0005621007.tif 000011
【図７】
0005621007.tif 000012
【図８】
0005621007.tif 000013
【図９】
0005621007.tif 000014
【図１０】
0005621007.tif 000015